(57)【特許請求の範囲】
【請求項１】
ディスク状記録媒体が着脱可能に装着され、装着された当該ディスク状記録媒体を回転させるディスク回転機構と、
前記ディスク回転機構に装着された前記ディスク状記録媒体の記録面に対向するように配置され、前記ディスク状記録媒体に対して情報を記録及び／又は再生するピックアップ装置と、
前記ディスク回転機構に装着された前記ディスク状記録媒体の前記記録面と反対側の印刷面側に移動可能に配置され、回転する前記ディスク状記録媒体の前記印刷面に向けてインク滴を吐出するインク吐出部を有する印刷ヘッドと、
前記ディスク回転機構に装着された前記ディスク状記録媒体の周囲に設けられ、前記ディスク回転機構による前記ディスク状記録媒体の回転により生じる気流を前記ピックアップ装置から離隔する方向へ誘導する気流誘導部と、
を備える、ディスク記録装置。
【請求項２】
前記ディスク記録装置の内部は、前記ディスク回転機構に装着された前記ディスク状記録媒体の前記印刷面側に設けられた基板により、前記ディスク回転機構に装着された前記ディスク状記録媒体が位置する領域であって前記ディスク回転機構及び前記ピックアップ装置が配置される情報記録領域と、前記基板に対して前記ディスク回転機構に装着された前記ディスク状記録媒体の前記印刷面側の領域であって前記印刷ヘッドが配置される印刷領域と、に区画され、
前記気流誘導部は、前記基板上に設けられた少なくとも１つ以上の開口部である、請求項１に記載のディスク記録装置。
【請求項３】
前記開口部は、前記ディスク回転機構に装着された前記ディスク状記録媒体の前記印刷面側に配置される、請求項２に記載のディスク記録装置。
【請求項４】
前記開口部は、前記ディスク回転機構に装着された前記ディスク状記録媒体の外周部の近傍に設けられる、請求項３に記載のディスク記録装置。
【請求項５】
前記開口部は、前記印刷ヘッドが前記ディスク状記録媒体の外周部を印刷している場合における前記インク吐出部の位置よりも、前記ディスク状記録媒体の回転方向下流側に設けられる、請求項４に記載のディスク記録装置。
【請求項６】
前記気流誘導部により誘導された前記気流に対して前記気流誘導部よりも下流側に、前記気流に乗ったミストを吸収させるミスト吸収体が設けられる、請求項５に記載のディスク記録装置。
【請求項７】
前記ディスク記録装置の周囲を覆う筐体をさらに備え、
前記情報記録領域の側面を囲む側壁が設けられており、
前記ミスト吸収体は、前記側壁と前記筐体との間に設けられる、請求項６に記載のディスク記録装置。
【請求項８】
前記ディスク記録装置の内部は、前記ディスク回転機構に装着された前記ディスク状記録媒体の前記記録面側の領域であって前記ディスク回転機構及び前記ピックアップ装置が配置される情報記録領域と、前記ディスク回転機構に装着された前記ディスク状記録媒体の前記印刷面側の領域であって前記印刷ヘッドが配置される印刷領域と、に区画され、
前記情報記録領域の側面を囲む側壁が設けられており、
前記気流誘導部は、前記側壁に設けられた少なくとも１つ以上の開口部である、請求項２に記載のディスク記録装置。
【請求項９】
前記ディスク状記録媒体を前記情報記録領域に対して挿入又は排出し、前記ディスク状記録媒体が載置されるディスク載置部を有するディスクトレイをさらに備え、
前記ディスク載置部の側面には、切り欠き部が設けられており、
前記開口部は、前記切り欠き部の近傍に設けられる、請求項８に記載のディスク記録装置。
【請求項１０】
前記気流誘導部により誘導された前記気流に対して前記気流誘導部よりも下流側に、前記気流に乗ったミストを吸収させるミスト吸収体が設けられる、請求項９に記載のディスク記録装置。
【請求項１１】
前記ディスク記録装置の周囲を覆う筐体をさらに備え、
前記ミスト吸収体は、前記側壁と前記筐体との間に設けられる、請求項１０に記載のディスク記録装置。
【請求項１２】
前記気流誘導部は、前記基板の下面側に、前記ディスク回転機構に装着された前記ディスク状記録媒体の外周部に沿って設けられ、一部に不連続な部分を有するリブであり、
前記不連続な部分を埋めるように設けられ、前記気流誘導部により誘導された前記気流に乗ったミストを吸収させるミスト吸収体をさらに備える、請求項２に記載のディスク記録装置。
【請求項１３】
前記ディスク状記録媒体を前記情報記録領域に対して挿入又は排出し、前記ディスク状記録媒体が載置されるディスク載置部を有するディスクトレイをさらに備え、
前記ディスクトレイには、前記ディスク載置部の外周部を囲むリブが形成されており、
前記リブの一部を切り欠いて形成された気流誘導部によりミストを含む気流を前記情報記録領域外へ誘導し、前記リブの一部を切り欠いて形成された気流誘導部により前記気流が誘導された部分に、前記気流に乗ったミストを吸収するミスト吸収体をさらに備える、請求項２に記載のディスク記録装置。
【請求項１４】
前記ディスク状記録媒体を前記情報記録領域に対して挿入又は排出し、前記ディスク状記録媒体が載置されるディスク載置部を有するディスクトレイをさらに備え、
前記ディスク載置部の前記ディスク状記録媒体が載置される面と前記ディスクトレイの上面との段差部において、載置された前記ディスク状記録媒体の外周部の近傍に設けられた開口部によりミストを含む気流を前記情報記録領域外へ誘導する、請求項２に記載のディスク記録装置。
【請求項１５】
前記ディスク記録装置の周囲を覆う筐体をさらに備え、
前記ディスク記録装置の内部は、前記ディスク回転機構に装着された前記ディスク状記録媒体の前記印刷面側に設けられた基板により、前記ディスク回転機構に装着された前記ディスク状記録媒体が位置する領域であって前記ディスク回転機構及び前記ピックアップ装置が配置される情報記録領域と、前記基板に対して前記ディスク回転機構に装着された前記ディスク状記録媒体の前記印刷面側の領域であって前記印刷ヘッドが配置される印刷領域と、に区画され、
前記筐体の側面と前記情報記録領域との間に領域を形成する側壁が設けられ、
前記側壁には、前記情報記録領域と前記側壁及び前記筐体の間の領域とを連通させる前記気流の気流路が形成される、請求項１に記載のディスク記録装置。
【請求項１６】
前記気流路の一部に、前記筐体に衝突して反射した前記気流が、前記情報記録領域に戻ることを防止する障壁が設けられる、請求項１５に記載のディスク記録装置。
【請求項１７】
前記側壁と前記筐体との間の領域に、前記気流誘導部により誘導された前記気流に乗ったミストを吸収させるミスト吸収体が設けられる、請求項１５に記載のディスク記録装置。
【請求項１８】
前記気流路は、前記ディスク回転機構による前記ディスク状記録媒体の回転数が小さいほど、前記印刷ヘッドから離隔して設けられる、請求項１５に記載のディスク記録装置。
【発明の詳細な説明】
【技術分野】
【０００１】
本発明は、ディスク状記録媒体に対して情報の記録及び／又は再生が可能なディスク記録装置に関し、特に、ディスク状記録媒体の記録面とは反対側の印刷面に文字や画像等の印刷が可能なディスク記録装置に関する。
【背景技術】
【０００２】
従来の光ディスク装置等のディスク記録装置は、光ディスク等のメディアを、格納機構により装置の内部に搬送した後、スピンドルモータにクランプ（チャッキング）し、レンズを搭載した光学ヘッド等のピックアップ装置により、情報を読み出しあるいは読み書きする装置として、一般に広く使用されている。このような光ディスクとしては、例えば、ＣＤ（Ｃｏｍｐａｃｔ  Ｄｉｓｋ）やＤＶＤ（Ｄｉｇｉｔａｌ  Ｖｅｒｓａｔｉｌｅ  Ｄｉｓｋ）など数メガバイト、数ギガバイトの記録容量を持ったものが使用されている。
【０００３】
また、最近では、高密度記録を可能としたＢｌｕ−ｒａｙディスク（以下、「ＢＤ」と称する。）や、ＨＤ−ＤＶＤ（Ｈｉｇｈ  Ｄｅｆｉｎｉｔｉｏｎ  Ｄｉｇｉｔａｌ  Ｖｅｒｓａｔｉｌｅ  Ｄｉｓｋ）などの光ディスクメディアが開発されている。このＢＤやＨＤ−ＤＶＤは、基本的な構造はＣＤやＤＶＤ等の従来のメディアと同じであるが、光源を短波長化することや、レンズのＮＡ（Ｎｕｍｅｒｉｃａｌ  Ａｐｅｒｔｕｒｅ）値を大きくすることにより、ＤＶＤなどの従来のメディアの５倍から１０倍以上の記録容量を達成している。
【０００４】
これら高密度に記録できる光ディスクメディア等のディスク状記録媒体を使用した光ディスク装置等のディスク記録装置が増加すると、記録される情報の量は多大となる。また、高密度に記録されたディスク状記録媒体の数が増えてくると、これら多大な情報が記録されたディスク状記録媒体を管理することは容易でない。
【０００５】
これに対して、光ディスクメディア等のディスク状記録媒体の管理情報をディスク等の媒体上に表示する方法が種々提案されている。例えば、特許文献１には、光ディスクメディアの管理情報を視認できるようにディスクの記録面上に記録する方法が記載されている。具体的には、光ピックアップのレーザ光を用いて、光ディスクの記録面における情報記録領域とは別の領域に記録する方法が提案されている。
【０００６】
また、光ディスク等のディスク状記録媒体の記録面とは反対側のレーベル面に、当該ディスク状記録媒体に記録されている情報に対応する文字や画像等を印刷することも行われている。具体的には、例えば、レーベル印刷が可能なインクジェット方式のプリンタなどを使用して光ディスクのレーベル面に印刷が行われている。この他に、内部にインクジェットプリントヘッドを組み込んだレーベル印刷が可能な光ディスク装置も一部実用化されている。このようなレーベル印刷可能な光ディスク装置としては、光ディスク装置に印刷ヘッドを搭載して回転する光ディスクにレーベル印刷を行うもの（例えば、特許文献２を参照）や、内部に印刷機能を組み込んだ光ディスク装置（例えば、特許文献３を参照）などが提案されている。
【０００７】
上記特許文献２、３に記載されているようなレーベル印刷機能を有する光ディスク装置では、レーベル面（印刷面）に平行に印刷ヘッドを移動させながら、ディスクの回転数に応じて印刷ヘッドからインク滴を吐出させて、レーベル面に文字や画像等を印刷している。
【０００８】
【特許文献１】特開２００４−２８０９５３号公報
【特許文献２】特表２００２−５１２１４０号公報
【特許文献３】特許第３３４１５７２号公報
【発明の開示】
【発明が解決しようとする課題】
【０００９】
前述のように、回転する光ディスク等のディスク状記録媒体に向けてインク滴を吐出してレーベル印刷を行う場合、印刷ヘッドからの吐出速度が遅いインク滴や空気抵抗を多く受けるようなインク滴（いわゆるサテライト滴）によるミストが発生する。このミストは、光ディスク装置等のディスク記録装置内を浮遊し、ディスク記録装置の内部汚染を引き起こす、という問題があった。特に、従来のディスク記録装置と比べ、ピックアップ装置が汚染されやすく、光ディスク装置の場合には、光学ピックアップのレンズ部分が汚染され、情報の読み書き（記録再生）に支障が出てしまう。
【００１０】
このようなディスク記録装置の内部汚染を抑制するために、ファンなどを用いてミストを捕集することも考えられる。しかしながら、仮にファンが故障して停止すると、ディスク記録装置の内部が汚染され、最悪の場合、ディスク記録装置自体が故障する場合がある、という問題もあった。
【００１１】
また、ディスク記録装置内を浮遊するミストが、装置内部の電気回路を汚染する場合もあり、この場合、ショート、動作不良、動作不安定などの不具合を生じる、という問題もあった。
【００１２】
そこで、本発明は、このような問題に鑑みてなされたものであり、ディスク状記録媒体の記録面に情報を記録及び／又は再生するとともに、印刷面に文字や画像等を印刷することが可能なディスク記録装置において、ファンなどの特別な装置を設けることなく、装置内を浮遊するインク滴のミストによる装置内部の汚染を抑制することを目的とする。
【課題を解決するための手段】
【００１３】
上記課題を解決するために、本発明のある観点によれば、ディスク状記録媒体が着脱可能に装着され、装着された当該ディスク状記録媒体を回転させるディスク回転機構と、前記ディスク回転機構に装着された前記ディスク状記録媒体の記録面に対向するように配置され、前記ディスク状記録媒体に対して情報を記録及び／又は再生するピックアップ装置と、前記ディスク回転機構に装着された前記ディスク状記録媒体の前記記録面と反対側の印刷面側に移動可能に配置され、回転する前記ディスク状記録媒体の前記印刷面に向けてインク滴を吐出するインク吐出部を有する印刷ヘッドと、前記ディスク回転機構に装着された前記ディスク状記録媒体の周囲に設けられ、前記ディスク回転機構による前記ディスク状記録媒体の回転により生じる気流を誘導する気流誘導部と、を備える、ディスク記録装置が提供される。
【００１４】
このような構成により、本発明に係るディスク記録装置は、気流誘導部を設け、ディスク状記録媒体の回転により生じる気流を所定の方向（例えば、ディスク記録装置の外部側）へ誘導することで、ファンなどの特別な装置を設けることなく、装置内を浮遊するインク滴のミストによる装置内部の汚染を抑制することができる。
【００１５】
ここで、前記気流誘導部は、前記ディスク状記録媒体の回転により生じる気流を前記ピックアップ装置から離隔する方向へ誘導するように設けられることが好ましい。
【００１６】
また、前記ディスク記録装置の内部は、前記ディスク回転機構に装着された前記ディスク状記録媒体の前記記録面側の領域であって前記ディスク回転機構及び前記ピックアップ装置が配置される情報記録領域と、前記ディスク回転機構に装着された前記ディスク状記録媒体の前記印刷面側の領域であって前記印刷ヘッドが配置される印刷領域と、に区画され、前記ディスク記録装置は、前記情報記録領域と前記印刷領域とを区画し、かつ、前記印刷ヘッドが設置される基板をさらに備え、前記気流誘導部は、前記基板上に設けられた少なくとも１つ以上の開口部であってもよい。
【００１７】
また、前記開口部は、前記ディスク回転機構に装着された前記ディスク状記録媒体の前記印刷面側に配置されてもよい。
【００１８】
また、前記開口部は、前記ディスク回転機構に装着された前記ディスク状記録媒体の外周部の近傍に設けられてもよい。
【００１９】
また、前記開口部は、前記印刷ヘッドが前記ディスク状記録媒体の外周部を印刷している場合における前記インク吐出部の位置よりも、前記ディスク状記録媒体の回転方向下流側に設けられてもよい。
【００２０】
また、前記気流誘導部により誘導された前記気流に対して前記気流誘導部よりも下流側に、前記気流に乗ったミストを吸収させるミスト吸収体が設けられてもよい。
【００２１】
前記ディスク記録装置の周囲を覆う筐体をさらに備え、前記情報記録領域の側面を囲む側壁が設けられており、前記ミスト吸収体は、前記側壁と前記筐体との間に設けられてもよい。
【００２２】
また、前記ディスク記録装置の内部は、前記ディスク回転機構に装着された前記ディスク状記録媒体の前記記録面側の領域であって前記ディスク回転機構及び前記ピックアップ装置が配置される情報記録領域と、前記ディスク回転機構に装着された前記ディスク状記録媒体の前記印刷面側の領域であって前記印刷ヘッドが配置される印刷領域と、に区画され、前記情報記録領域の側面を囲む側壁が設けられており、前記気流誘導部は、前記側壁に設けられた少なくとも１つ以上の開口部であってもよい。
【００２３】
また、前記ディスク状記録媒体を前記情報記録領域に対して挿入又は排出し、前記ディスク状記録媒体が載置されるディスク載置部を有するディスクトレイをさらに備え、前記ディスク載置部の側面には、切り欠き部が設けられており、前記開口部は、前記切り欠き部の近傍に設けられてもよい。
【００２４】
また、前記気流誘導部により誘導された前記気流に対して前記気流誘導部よりも下流側に、前記気流に乗ったミストを吸収させるミスト吸収体が設けられてもよい。
【００２５】
また、前記ディスク記録装置の周囲を覆う筐体をさらに備え、前記ミスト吸収体は、前記側壁と前記筐体との間に設けられてもよい。
【００２６】
また、前記気流誘導部は、前記基板の下面側に、前記ディスク回転機構に装着された前記ディスク状記録媒体の外周部に沿って設けられ、一部に不連続な部分を有するリブであり、前記不連続な部分を埋めるように設けられ、前記気流誘導部により誘導された前記気流に乗ったミストを吸収させるミスト吸収体をさらに備えていてもよい。
【００２７】
また、前記ディスク状記録媒体を前記情報記録領域に対して挿入又は排出し、前記ディスク状記録媒体が載置されるディスク載置部を有するディスクトレイをさらに備え、前記気流誘導部は、前記ディスク載置部の外周部を囲むように設けられ、一部に不連続な部分を有するリブであり、前記不連続な部分を埋めるように設けられ、前記気流誘導部により誘導された前記気流に乗ったミストを吸収させるミスト吸収体をさらに備えていてもよい。
【００２８】
また、前記ディスク状記録媒体を前記情報記録領域に対して挿入又は排出し、前記ディスク状記録媒体が載置されるディスク載置部を有するディスクトレイをさらに備え、前記気流誘導部は、前記ディスク載置部の前記ディスク状記録媒体が載置される面と前記ディスクトレイの上面との段差部において、載置された前記ディスク状記録媒体の外周部の近傍に設けられた開口部であってもよい。
【００２９】
また、前記ディスク記録装置の内部は、前記ディスク回転機構に装着された前記ディスク状記録媒体の前記記録面側の領域であって前記ディスク回転機構及び前記ピックアップ装置が配置される情報記録領域と、前記ディスク回転機構に装着された前記ディスク状記録媒体の前記印刷面側の領域であって前記印刷ヘッドが配置される印刷領域と、に区画され、前記ディスク記録装置の周囲を覆う筐体をさらに備え、前記情報記録領域の側面を囲む側壁が設けられており、前記気流誘導部は、前記側壁を貫通して前記情報記録領域と前記側壁及び前記筐体の間の領域とを連通するように設けられた前記気流の気流路であってもよい。
【００３０】
また、前記気流路の一部に、前記筐体に衝突して反射した前記気流が、前記情報記録領域に戻ることを防止する障壁が設けられていてもよい。
【００３１】
また、前記側壁と前記筐体との間の領域に、前記気流誘導部により誘導された前記気流に乗ったミストを吸収させるミスト吸収体が設けられていてもよい。
【００３２】
また、前記ディスク回転機構による前記ディスク状記録媒体の回転数に応じて、前記気流路の設置位置が決定されてもよい。
【発明の効果】
【００３３】
本発明によれば、ディスク状記録媒体の記録面に情報を記録及び／又は再生するとともに、印刷面に文字や画像等を印刷することが可能なディスク記録装置において、ディスク状記録媒体の回転により生じる気流を所定の方向へ誘導することで、ファンなどの特別な装置を設けることなく、装置内を浮遊するインク滴のミストによる装置内部の汚染を抑制することが可能となる。
【発明を実施するための最良の形態】
【００３４】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００３５】
（従来のディスク記録装置の構成及び動作）
まず、図１〜図５に基づいて、従来のディスク記録装置の一例として、光ディスク装置を例に挙げてその構成及び動作について説明する。なお、図１は、従来のレーベル印刷機能を有する光ディスク装置７００（トレイ方式）の外観構成を示す斜視図であり、図２は、従来のレーベル印刷機能を有する光ディスク装置８００（スロットイン方式）の外観構成を示す斜視図である。また、図３は、光ディスク５のラジアル方向及びタンジェンシャル方向を示す説明図である。また、図４は、従来の光ディスク装置７００の内部構成を示す斜視図であり、図５は、従来の光ディスク装置７００の内部構成を示す平面図である。
【００３６】
図１及び図２に示した光ディスク装置７００や光ディスク装置８００は、例えば、ＣＤ（Ｃｏｍｐａｃｔ  Ｄｉｓｋ）、ＤＶＤ（Ｄｉｇｉｔａｌ  Ｖｅｒｓａｔｉｌｅ  Ｄｉｓｋ）などの数メガバイト、数ギガバイトの記録容量を持った光ディスクメディアや、ＢＤ（Ｂｌｕ−Ｒａｙ  Ｄｉｓｋ）、ＨＤ−ＤＶＤ（Ｈｉｇｈ  Ｄｅｆｉｎｉｔｉｏｎ  Ｄｉｇｉｔａｌ  Ｖｅｒｓａｔｉｌｅ  Ｄｉｓｋ）などの数十ギガバイトの記録容量を持った光ディスクメディアや、ニアフィールド記録などを用いて、デジタル情報の記録や読出が可能な光ディスク装置のうち、メディアを交換可能なリムーバブル光ディスク装置の一例である。これらの光ディスク装置の中には、一方の面に情報記録面を有し、他方の面（情報記録面とは反対側の面）にはレーベル面（記録された情報に対応する文字や画像等の情報の印刷面）を有するディスク状のディスク状記録媒体を用いて、装置内部でレーベル印刷を行うことが可能なものもある。上記光ディスク装置７００及び光ディスク装置８００はともに、レーベル印刷可能な光ディスク装置の一例でもある。
【００３７】
まず、図１及び図２を参照しながら、光ディスク装置７００及び光ディスク装置８００の外観構成について説明する。
【００３８】
図１に示すように、トレイ方式の光ディスク装置７００においては、略直方体の筐体７１０に、上蓋７１２及びトレイ７２０が設けられている。印刷ヘッド（図４及び図５を参照）の交換や、キャップやインク溜め（図４及び図５を参照）の交換などのメンテナンスを行う場合には、上蓋７１２を取り外して光ディスク装置７００の上方から行うことができる。
【００３９】
トレイ７２０は、所定のローディング機構（図示せず）により、光ディスク装置７００の内部から外部へせり出すように光ディスクのラジアル方向に移動可能に設けられている。また、このトレイ７２０の上面側には、径が光ディスク５と略同一の略円形状の凹部であるディスク載置部７２２が形成されている。
【００４０】
ここで、ラジアル方向とは、図３に示すように、略円盤状の光ディスク５の半径方向のことを意味する。また、本明細書においては、光ディスク５の回転中心ｃを通り、ラジアル方向に平行な仮想の軸をラジアル軸（Ｒ）と呼ぶこととする。一方、タンジェンシャル方向とは、光ディスク５上において、ラジアル方向に垂直な方向を意味する。なお、光ディスク５の中心部には、光ディスク装置７００及び８００内部に設けられたスピンドルモータ（図示せず）のハブ部分（図示せず）に嵌合する開口部５ａが形成されている。
【００４１】
光ディスク５は、このディスク載置部７２２に載置され、ローディング機構により光ディスク装置７００の内部に搬送される。このようにして、光ディスク５を光ディスク装置７００の内部に搬送した後、スピンドルモータ（図示せず）にクランプ（チャッキング）され、レンズを搭載した光学ピックアップ等の光学ヘッド（図４及び図５を参照）により光ディスク５の情報記録面にレーザ光を照射することにより、光ディスク５に記録された情報を読み出したり、あるいは、光ディスク５に対して情報を読み書きしたりすることができる。
【００４２】
一方、図２に示すように、スロットイン方式の光ディスク装置８００においては、略直方体の筐体８１０に、上蓋８１２、開口部８１４及びスロットカバー８１６が設けられている。印刷ヘッド（図示せず）の交換や、キャップやインク溜め（図示せず）の交換などのメンテナンスを行う場合には、光ディスク装置７００の場合と同様に、上蓋８１２を取り外して光ディスク装置８００の上方から行うことができる。また、光ディスク５は、開口部８１４より挿入され、所定のローディング機構（図示せず）により光ディスク装置８００の中に搬送され、スピンドルモータ（図示せず）にクランプ（チャッキング）され、レンズを搭載した光学ヘッド（図示せず）により光ディスク５の情報記録面にレーザ光を照射することにより、光ディスク５に記録された情報を読み出したり、あるいは、光ディスク５に対して情報を読み書きしたりすることができる。
【００４３】
開口部８１４及びスロットカバー８１６はともに、筐体８１０の光ディスク５の出入口側（光ディスク装置８００の前面側）に設けられている。また、スロットカバー８１６は開閉可能に設けられており、光ディスク５の搬出入中は開口部８１４を開放し、光ディスク５の記録・再生中は開口部８１４を閉止する。
【００４４】
次に、図４及び図５を参照しながら、従来の光ディスク装置のうち、光ディスク装置７００を例に挙げて、その内部構成及び動作について説明する。
【００４５】
図４及び図５に示すように、光ディスク装置７００は、主に、光ディスク５を使用して情報の記録及び再生を行うドライブ部Ｄ７と、光ディスク５の情報記録面とは反対側のレーベル面（印刷面）側、すなわちドライブ部Ｄ７の上部に設けられてレーベル印刷を行うレーベル印刷部Ｌ７と、を主に備える。
【００４６】
ドライブ部Ｄ７は、上述した上蓋７１２とともに筐体７１０（ともに図１を参照）を構成する、前面板７１４と、後面板７１６と、２枚の側面板７１８、７１８とにより囲まれた領域内に位置し、所定のローディング機構により移動可能に設けられたトレイ７２０と、トレイ７２０のディスク載置部７２２の中央部上方に設けられたチャッキングプレート７３０と、トレイ７２０の下方（光ディスク５の情報記録面側）に設けられたピックアップ装置としての光学ピックアップ７４０と、を主に備える。
【００４７】
トレイ７２０は、その上面側に設けられた略円形の凹部であるディスク載置部７２２に光ディスク５を載置し、光ディスク５を光ディスク装置７００の内部に挿入したり、外部へ排出したりする。このトレイ７２０は、光ディスク５のラジアル方向に平行に前後に移動可能に設けられており、光ディスク装置７００の前面側（前面板７１４の側）から外部に光ディスク５を排出したり、前面側でディスクの交換を行ったりする。
【００４８】
チャッキングプレート７３０は、中心部に軸を有する部材であり、略長方形の板状のチャッキングプレート支持部材７３２にベアリング（図示せず）を介して取り付けられており、チャッキングプレート支持部材７３２により上部から支持されている。このチャッキングプレート７３０は、光ディスク５の下面側（情報記録面の側）に設けられて光ディスク５を回転させるスピンドルモータ（図示せず）のハブ部分とともに、光ディスク５を挟持し、光ディスク５とともに回転する。また、チャッキングプレート支持部材７３２の長手方向の両端は、側面板７１８の上面に取り付けられ、チャッキングプレート支持部材７３２は、その中央部でチャッキングプレート７３０を支持している。
【００４９】
光学ピックアップ７４０は、トレイ７２０の下方、すなわち、光ディスク５の記録面側に、ラジアル方向に移動可能に設けられている。また、光学ピックアップ７４０は、光ディスク５の記録面に向けてレーザ光を照射するためのレンズ７４２を有しており、レンズ７４２がレーザ光を集光して光ディスク５の記録面にレーザ光を照射することにより、情報の記録や再生を行うことができる。
【００５０】
このような構成を有する光ディスク装置７００のドライブ部Ｄ７においては、光ディスク５をトレイ７２０のディスク載置部７２２に載置し、トレイ７２０が装置内部に移動することにより、光ディスク５が装置内部に格納され、スピンドルモータ（図示せず）のハブ部とチャッキングプレート７３０に挟持されてクランプされた後に、光ディスク５が回転する。この光ディスク５が回転している状態で、光学ピックアップ７４０がラジアル方向に移動しながら、光ディスク５の情報記録面に向けてレーザ光を集光するように接近し、情報の読み書きを行う。
【００５１】
なお、ドライブ部Ｄ７の他の構成については、公知の光ディスク装置と同様であるので、詳細な説明は省略する。
【００５２】
レーベル印刷部Ｌ７は、印刷ヘッド７５０と、印刷ヘッド７５０をラジアル方向に移動させるための印刷ヘッド駆動機構と、印刷ヘッド７５０のキャップやクリーニングを行う印刷ヘッドメンテナンス手段とを主に備える。
【００５３】
印刷ヘッド７５０は、光ディスク５の中心（あるいはチャッキングプレート７３０）に対して、光ディスク装置７００の前面側（前面板７１４側）とは反対側に配置されており、また、光学ピックアップ７４０とは光ディスク５に対して反対側（光ディスク５のレーベル面側）に設けられ、ラジアル軸Ｒに沿って（すなわち、光ディスク５の半径方向に）移動可能なように構成されている。また、印刷ヘッド７５０の下面側（光ディスク５のレーベル面側）には、インク吐出部７５０ａが設けられており、印刷ヘッド７５０がラジアル軸上を回転している光ディスク５の外周または内周に向かって移動しながら、インク吐出部７５０ａからインクを吐出することにより、光ディスク５のレーベル面にレーベル印刷を行うことができる。
【００５４】
印刷ヘッド７５０は、略コの字状の印刷ヘッドホルダ７５２により三方から保持され、ヘッド支持板７５４に取り付けられている。このヘッド支持板７５４の上面側には、印刷ヘッド７５０の左右両側に各２個ずつヘッド駆動用ベアリング部材７５６が設けられている。各ヘッド駆動用ベアリング部材７５６には、それぞれラジアル方向に平行な方向に貫通するようなベアリング（リニアベアリング）７５６ａが設けられている。また、ラジアル方向に並んだ２個のベアリング７５６ａの内周を挿通するように、（ラジアル方向に平行で）略平行に配置された２本のヘッド駆動用シャフト７５７が設けられている。２本のヘッド駆動用シャフト７５７の両端（前面板７１４側の端部及び後面板７１６側の端部）はそれぞれ、同一のシャフト支持部材７５８により支持されている。
【００５５】
ここで、印刷ヘッド７５０としては、例えば、図６Ａに示すように、インク吐出部７５０ａを有する印刷ヘッド７５０−１がインクタンク部と一体的に形成されているタイプのものがある。また、印刷ヘッド７５０としては、例えば、図６Ｂに示すように、インク吐出部７５０ａを有する印刷ヘッド７５０−２が、インクタンク部７５１と連結部７５３を介して分離可能に連結されているタイプのものもある。なお、いずれのタイプの場合も、図６Ａ及び図６Ｂでは、インクの吐出を制御する信号を入力する部分は省略している。
【００５６】
印刷ヘッド駆動機構は、ヘッド駆動モータ７６０と、ヘッド駆動モータ７６０に連結されたボールネジ７６２と、ボールネジ７６２が挿通されたナット７６４と、ナット７６４とヘッド支持部材７５４とを連結する連結部材７６６と、ヘッド駆動モータ７６０及びボールネジ７６２を支持する駆動機構支持部材７６８とから主に構成される。
【００５７】
ヘッド駆動モータ７６０は、その動力によりボールネジ７６２を回転させる。ボールネジ７６２は、ラジアル方向に平行な方向に延設されており、ナット７６４は、ボールネジ７６２の回転によりラジアル方向に平行な方向に移動可能なように構成されている。連結部材７６６は、ナット７６４とヘッド支持部材７５４とを連結することで、ナット７６４の移動に伴い、ヘッド支持部材７５４をラジアル方向に平行な方向に移動させることができる。駆動機構支持部材７６８は、ヘッド駆動モータ７６０とボールネジ７６２の連結部及びボールネジ７６２の先端部を支持する。
【００５８】
なお、シャフト支持部材７５８及び駆動機構支持部材７６８は、図示しない上部に設けられた板状の支持部材に取り付けられている。
【００５９】
印刷ヘッドメンテナンス手段は、キャップ７７２及びインク溜め７７４を収容するキャップ収容部７７０を備える。キャップ７７２は、印刷ヘッドの乾燥を抑制するためのもので、印刷待機中は、印刷ヘッド７５０のインク吐出部７５０ａはキャップ７７２によりキャップされる。また、インク溜め７７４は、例えば、インク吐出部７５０ａが詰まってインクが出ないというような印刷エラーを防止するために、印刷ヘッド７５０に空気が混入しないように空うち（レーベル印刷とは関係なくインク吐出部７５０ａからインクを吐出させること）する場所である。これらキャップ７７２及びインク溜め７７４が収容されたキャップ収容部７７０は、光ディスク５の排出側（取り出し口側）とは反対側の光ディスク装置７００の後方側（後面板７１６側）に設置されている。
【００６０】
このような構成を有する光ディスク装置７００のレーベル印刷部Ｌ７においては、ヘッド駆動モータ７６０の回転によりボールネジ７６２が回転すると、ナット７６４がボールネジ７６２に沿ってラジアル方向に平行な方向に移動する。このナット７６４は、連結部材７６６を介して、ヘッド支持板７５４と連結されているため、ヘッド支持板７５４が、ナット７６４の移動と協働してラジアル方向に移動する。この際、ヘッド支持板７５４に設けられたヘッド駆動用ベアリング部材７５６の内部をベアリング７５６ａを介してヘッド駆動用シャフト７５７が挿通していることから、ヘッド支持板７５４は、ラジアル方向に互いに平行に配置された２本のヘッド駆動用シャフト７５７に案内されて、ラジアル方向に平行な方向に直線的に移動することができる。ここで、印刷ヘッド７５０はラジアル軸Ｒにその中心が来るように配置されているので、ヘッド支持板７５４の移動、すなわち、ナット７６４の移動に伴い、ラジアル軸上を光ディスクの内周方向及び外周方向に自在に移動することができる。
【００６１】
レーベル印刷部Ｌ７が以上のような構成を有することにより、図７の印刷例に示すように、光ディスク装置７００等のディスク記録装置は、光ディスク５等のディスク状記録媒体のレーベル面に文字や画像等を印刷することができる。
【００６２】
ところで、上述したようなレーベル印刷機能を有する光ディスク装置７００では、レーベル面（印刷面）に平行に印刷ヘッド７５０を移動させながら、光ディスク５の回転数に応じて印刷ヘッド７５０からインク滴を吐出させて、レーベル面に文字や画像等を印刷している。
【００６３】
しかし、光ディスク５のレーベル面に文字等を印刷する際、吐出されたインク滴のうちレーベル面に到達せず、光ディスク装置７００内に拡散したインク滴のミストが光ディスク装置７００の内部を汚染する、という問題があった。
【００６４】
汚染される場所としては、トレイ７２０のディスク載置部７２２や、光学ピックアップ７４０（及びそのカバー）や、レーベル印刷部Ｌ７が設けられている基板の下面や、装置内部の電気回路等がある。
【００６５】
そして、ミストが光学ピックアップ７４０等のピックアップ装置の対物レンズ７４２に付着すると、レーザ光が透過する対物レンズ７４２の透過率が低下するため、光ディスク装置７００における情報の記録及び／又は再生の処理が実行できなくなる、という問題があった。また、ミストが、光ディスク装置７００内部の電気回路に付着すると、電気回路のショートや、光ディスク装置７００の動作不良、動作不安定等の不具合が発生する、という問題があった。
【００６６】
さらに、光ディスク５が載置されるトレイ７２０がミストによって汚染されると、トレイ７２０はユーザーが視認可能な部品であるため、ユーザーに対して、光ディスク装置７００の機能に障害が生じているという誤解を招く可能性があった。また、トレイ７２０がインクミストによって汚染されていると、糸くずや埃などが付着しやすくなる。そのため、トレイ７２０が光ディスク装置７００内に挿入されたとき、糸くずや埃などが同時に装置内に取り込まれて、光ディスク装置７００内部の部品に故障を生じさせるおそれがあった。
【００６７】
そこで、本発明の第１の実施形態に係る光ディスク装置１００においては、スピンドル等のディスク回転機構に装着された光ディスク５の周囲に、ディスク回転機構による光ディスク５の回転により生じる空気の流れ（気流）を誘導する気流誘導部を設けることにより、この気流に乗って浮遊するインク滴のミストを装置外部へ誘導している。このような構成により、光ディスク装置１００は、ファンなどの特別な装置を設けることなく、装置内を浮遊するインク滴のミストによる装置内部の汚染、特に、光学ピックアップ等の光学系や装置内の電気回路等の汚染を抑制することが可能となる。
【００６８】
［本発明の第１の実施形態に係る光ディスク装置について］
以下、図８〜図１０を参照しながら、本発明の第１の実施形態に係るディスク記録装置の一例としての光ディスク装置１００の基本的な構成について説明する。なお、図８は、本発明の第１の実施形態に係る光ディスク装置１００の外観構成を示す斜視図である。図９及び図１０は、それぞれ、本実施形態に係る光ディスク装置１００の内部構成を示す斜視図及び平面図である。
【００６９】
本実施形態に係る光ディスク装置１００は、ディスク状記録媒体として光ディスク５が挿入され、挿入された光ディスク５のレーベル面（印刷面）にレーベル印刷を行うことが可能なものである。この光ディスク装置１００は、上述したトレイ方式とスロットイン方式のいずれでもよいが、図８には、トレイ方式の例を示してある。
【００７０】
図８に示すように、光ディスク装置１００においては、略直方体の筐体１１０に、上蓋１１２及びトレイ１２０が設けられている。印刷ヘッド（図９及び図１０等を参照）の交換や、キャップやインク溜め（図９及び図１０等を参照）の交換などのメンテナンスを行う場合には、上蓋１１２を取り外して光ディスク装置１００の上方から行うことができる。
【００７１】
トレイ１２０は、所定のローディング機構（図示せず）により、光ディスク装置１００の内部から外部へせり出すように光ディスクのラジアル方向に移動可能に設けられている。また、このトレイ１２０の上面側には、径が光ディスク５と略同一の略円形状の凹部であるディスク載置部１２２が形成されている。なお、ラジアル方向やタンジェンシャル方向の定義については、従来の光ディスク装置と同様であるので、その説明を省略する。
【００７２】
光ディスク５は、このディスク載置部１２２に載置され、ローディング機構により光ディスク装置１００の内部に搬送される。このようにして、光ディスク５を光ディスク装置１００の内部に搬送した後、スピンドルモータ１３６にクランプ（チャッキング）され、レンズを搭載した光学ピックアップ等のピックアップ装置（図９及び図１０等を参照）により光ディスク５の情報記録面にレーザ光を照射することにより、光ディスク５に記録された情報を読み出したり、あるいは、光ディスク５に対して情報を読み書きしたりすることができる。
【００７３】
また、図９及び図１０に示すように、光ディスク装置１００は、主に、光ディスク５を使用して情報の記録及び／又は再生を行うドライブ部Ｄ１と、光ディスク５の情報記録面とは反対側のレーベル面（印刷面）側、すなわち、ドライブ部Ｄ１の上部に設けられてレーベル印刷を行うレーベル印刷部Ｌ１と、を主に備える。ここで、ドライブ部Ｄ１は、ディスク回転機構（例えば、スピンドル１３６）に装着されたディスク状記録媒体（例えば、光ディスク５）の記録面側の領域であって、ディスク回転機構及びピックアップ装置（例えば、光学ピックアップ１４０）が配置される本実施形態に係る情報記録領域の一例である。また、レーベル印刷部Ｌ１は、ディスク回転機構に装着されたディスク状記録媒体の印刷面側の領域であって、印刷ヘッド（例えば、印刷ヘッド１５０）が配置される本実施形態に係る印刷領域の一例である。
【００７４】
（光ディスク装置１００のドライブ部の構成）
ドライブ部Ｄ７は、上述した上蓋１１２とともに筐体１１０（ともに図８を参照）を構成する、前面板１１４と、後面板１１６と、２枚の側面板１１８、１１８とにより囲まれた領域内に位置し、所定のローディング機構により移動可能に設けられたトレイ１２０と、トレイ１２０のディスク載置部１２２の中央部上方に設けられたチャッキングプレート１３０と、トレイ１２０の下方（光ディスク５の情報記録面側）に設けられたピックアップ装置としての光学ピックアップ１４０と、を主に備える。
【００７５】
トレイ１２０は、所定のローディング機構（図示せず）により、光ディスク装置１００の内部から外部へせり出すように光ディスク５のラジアル方向に移動可能に設けられている。また、このトレイ１２０の上面側には、径が光ディスク５と略同一で略円形状の凹部であるディスク載置部１２２が形成されている。かかる構成により、トレイ１２０は、ディスク載置部１２２に光ディスク５を載置した状態でラジアル方向の外周側又は内周側へ移動することにより、光ディスク５を光ディスク装置１００の内部へ挿入したり、光ディスク装置１００の前面側（前面板１１４の側）から外部へ光ディスク５を排出したりすることができる。
【００７６】
チャッキングプレート１３０は、中心部に軸を有する略円盤状の部材であり、略長方形の板状のチャッキングプレート支持部材（図示せず）にベアリング（図示せず）を介して取り付けられており、このチャッキングプレート支持部材により上部から支持されている。また、光ディスク装置１００には、光ディスク５の下面側（データ記録面側）に、本実施形態に係るディスク回転機構の一例としてのスピンドルモータ１３６が設けられている。このスピンドルモータ１３６のハブ部分に光ディスク５が着脱可能に装着されるとともに、スピンドルモータ１３６は光ディスク５を回転させる。そして、チャッキングプレート１３０は、スピンドルモータ１３６に装着された光ディスク５を、光ディスク５のレーベル面側から保持する。すなわち、チャッキングプレート１３０は、スピンドルモータ１３６のハブ部分とともに光ディスク５を挟持し、挟持した状態で光ディスク５とともに回転することとなる。なお、図示されてはいないが、チャッキングプレート支持部材の長手方向の一端は側面板１１８の上面に取り付けられ、チャッキングプレート支持部材の他端では、チャッキングプレート１３０を支持している。このとき、チャッキングプレート支持部材は、チャッキングプレート１３０を片持ちの状態で支持していてもよく、別の部材により他端が側面板１１８と連結されていてもよい。
【００７７】
光学ピックアップ１４０は、トレイ１２０の下方、すなわち、スピンドルモータ１３６に装着された光ディスク５の記録面側に、ラジアル方向に移動可能に設けられている。また、光学ピックアップ１４０は、光ディスク５の記録面に向けてレーザ光を照射するためのレンズ１４２を有しており、レンズ１４２がレーザ光を集光して光ディスク５の記録面にレーザ光を照射することにより、データの記録や再生を行う。
【００７８】
かかる構成を有する光ディスク装置１００のドライブ部Ｄ１においては、光ディスク５をトレイ１２０のディスク載置部１２２に載置し、トレイ１２０が装置内部に移動することにより、光ディスク５が装置内部に格納され、スピンドルモータ１３６のハブ部とチャッキングプレート１３０とにより挟持されてクランプされた後に、光ディスク５が回転する。この光ディスク５が回転している状態で、光学ピックアップ１４０がラジアル方向に移動しながら、光ディスク５のデータ記録面に向けてレーザ光を集光するように接近し、データの読み書きを行う。
【００７９】
なお、ドライブ部Ｄ１の他の構成や動作については、公知の光ディスク装置と同様であるので、詳細な説明は省略する。
【００８０】
（光ディスク装置１００のレーベル印刷部の構成）
本実施形態に係るレーベル印刷部Ｌ１は、印刷ヘッド１５０と、ヘッド移動機構と、距離調整機構と、印刷ヘッドメンテナンス機構１９０と、を主に備える。以下、各部材について詳細に説明する。
【００８１】
印刷ヘッド１５０は、光学ピックアップ１４０と光ディスク５に対して反対側、すなわち、スピンドルモータ１３６に装着された光ディスク５のレーベル面側に設けられ、ラジアル方向に平行に移動可能となっている。また、印刷ヘッド１５０の下面側（光ディスク５のレーベル面側）には、インク吐出部１５０ａが設けられている。印刷ヘッド１５０は、ラジアル方向に平行な方向に移動しながら、回転している光ディスク５のレーベル面に向けてインク吐出部１５０ａからインク滴を吐出して、光ディスク５のレーベル面にレーベル印刷を行う。
【００８２】
インク吐出部１５０ａは、図示していないが、例えば、光ディスク５のラジアル方向に平行な方向に配置された複数（例えば、４０μｍ程度のピッチで３００個から４００個）のノズルからなる。このラジアル方向に平行な方向に配置されたノズルは、一列でもよいが、複数列（例えば、二列）であってもよく、この場合、ノズルは、光ディスク５の面に平行な面に二次元的に配置される。
【００８３】
本実施形態に係る印刷ヘッド１５０は、上述した図６Ａ及び図６Ｂに示す従来の印刷ヘッド７５０と同様に、インク吐出部１５０ａを有する印刷ヘッド１５０がインクタンク部と一体的に形成されている場合であっても、インク吐出部１５０ａを有する印刷ヘッド１５０が、インクタンク部と連結部を介して分離可能に連結されている場合であってもよい。
【００８４】
また、印刷ヘッド１５０は、その周囲を囲むように配置されたヘッドホルダ１５２により保持されている。ヘッドホルダ１５２は、ヘッド支持板１５４上に載置されている。ヘッド支持板１５４の上面側には、ヘッドホルダ１５２の左右両側に各１個ずつヘッド駆動用のベアリング部材１５６が設けられている。一方（図９で見えている方）のベアリング部材１５６は、ヘッドホルダ１５２の側面に取り付けられ、ベアリング部材１５６の下面側はヘッド支持板１５４に取り付けられている。また、他方（図１３を参照）のベアリング部材１５６は、ヘッド支持板１５４の端部が上方に折り曲げられ、折り曲げられた部分に取り付けられている。各ベアリング部材１５６には、それぞれラジアル方向に平行な方向に貫通するようなリニアベアリング（図示せず）が設けられている。また、この図示しないベアリングの内周を挿通するように、（ラジアル方向に平行で）略平行に配置された２本のヘッド駆動用のシャフト１５７が設けられている。２本のシャフト１５７の両端は、前面板１１４に取り付けられたシャフト支持部材１５８と、後面板１１６に取り付けられたシャフト支持部材（図示せず）とにより、支持されている。
【００８５】
本実施形態に係る印刷ヘッド移動機構は、スピンドルモータ１３６に装着された光ディスク５のレーベル面と対向する印刷位置と、レーベル面から離隔した退避位置との間で、印刷ヘッド１５０を光ディスク５のラジアル方向と平行に移動させる。具体的には、印刷ヘッド移動機構は、ヘッド駆動モータ１６０と、ヘッド駆動モータ１６０のモータ軸に軸設されたピニオン１６２と、回転するピニオン１６２の移動をガイドするラックネジ１６４と、リミットセンサ１６８と、から主に構成される。
【００８６】
ヘッド駆動モータ１６０は、その動力によりピニオン１６２を回転させる。ピニオン１６２は、略円筒状の部材であり、図示していないが、先端部の外周部分に歯切りがされている。ラックネジ１６４は、ラジアル方向と平行な方向に延設された平板状の部材であり、その位置が、ラック固定部材１６６により後述する基板１０１（図１３等を参照）上に固定されている。このラックネジ１６４の上面側にも歯切りがされており、ピニオン１６２の先端部の外周部の歯とラックネジ１６４の上面の歯とが噛み合うように、ピニオン１６２とラックネジ１６４が位置決めされている。ヘッド駆動モータ１６０によりピニオン１６２に回転力が与えられると、ピニオン１６２がラックネジ１６４上をラジアル方向に平行に移動する。なお、本実施形態においては、ピニオン１６２とラックネジ１６４に歯切りがされているが、必ずしも歯切りがされている必要はなく、ピニオン１６２とラックネジ１６４が、ピニオン１６２に推進力を与える所定の摩擦力を持って接するようになっていればよい。
【００８７】
また、リミットセンサ１６８は、印刷ヘッド１５０のラジアル方向に移動を制御する。具体的には、リミットセンサ１６８は、例えば、略コの字型の光センサとして構成されており、発光素子と受光素子（図示せず）を備える。発光素子と受光素子とは互いに対向して設けられ、発光素子から発光された光は、凹部１６８ａを鉛直方向に通過して受光素子で受光される。一方、ヘッド支持板１５４のヘッド駆動モータ１６０の脇には、リミットセンサ用遮光板１６９が設置されている。
【００８８】
なお、リミットセンサ１６８は、印刷エリアを制御するための部材であり、少なくとも、印刷ヘッド１５０のインク吐出部１５０ａが光ディスク５の後面側の周縁部まで到達することが可能な位置に設置されることが好ましい。リミットセンサ１６８をこのような位置に設置することにより、印刷ヘッド１５０が光ディスク５のレーベル面に印刷を行う際に、印刷可能エリアを広くすることができ、光ディスク５の内周付近の印刷を容易に行うことができる。
【００８９】
ここで、インク吐出部１５０ａから吐出され、光ディスク５のレーベル面に着弾しなかったインク滴は、ミストとなって光ディスク装置１００の内部を汚染し、最悪の場合、光学ピックアップ１４０を汚染するおそれもある。光学ピックアップ１４０が光ディスク５に対して情報の読み（書き）を行っている最中に、ミストにより光学ピックアップ１４０が汚染されると、光学ピックアップ１４０の対物レンズ１４２と光ディスク５との衝突が起こる可能性もある。従って、光ディスク５のレーベル面と印刷ヘッド１５０のインク吐出部１５０ａとの距離が近いほどミストの量が少なくなるため、好ましい。一方、光ディスク５には面ぶれ等もあるので、レーベル面とインク吐出部１５０ａとの距離が近すぎると、光ディスク５と印刷ヘッド１５０とが衝突するおそれがある。
【００９０】
このような観点から、本実施形態に係る光ディスク装置１００には、図示していないが、印刷ヘッド１５０のインク吐出部１５０ａと光ディスク５のレーベル面との距離を、直接または間接的に測定する距離検出部が設けられていてもよい。このような距離検出部としては、例えば、発光部から対象物である光ディスク５に向けて発光して反射してきた光を受光部で受光することにより、所定の検出点より近いか遠いかを判断する２個の反射型のセンサを用いることができる。あるいは、距離検出部として、１つのパッケージで距離を細かく検出できるセンサを用いてもよい。このように、距離検出部を設けることにより、光ディスク５と印刷ヘッド１５０が衝突したり、印刷ヘッド１５０から吐出されたインク滴がミストとなって光ディスク装置１００の内部を汚染したりすることを抑制できる。
【００９１】
本実施形態に係る距離調整機構は、例えば、上述したような距離検出部により検出された光ディスク５のレーベル面とインク吐出部１５０ａとの距離に応じて、印刷ヘッド１５０を光ディスク５のレーベル面に対して接近または離反させるように移動させて、レーベル面とインク吐出部１５０ａとの距離を調整する。具体的には、距離調整機構は、ヘッド昇降用モータ１８０と、平板状の支持部材１８２と、ヘッド昇降用の２本のシャフト１８６と、軸受け１８７と、から主に構成される。
【００９２】
本実施形態に係るヘッド昇降用モータ１８０の回転に伴い、支持部材１８２が鉛直方向に昇降する。支持部材１８２は、ヘッド昇降用モータ１８０と連結されるとともに、ヘッドホルダ１５２の側面に取り付けられている。また、ヘッド昇降用モータ１８０のモータ軸は支持部材１８２を貫通しており、その下端部がベアリング部材１５６に接続されている。ベアリング１８４は、支持部材１８２に形成されている。シャフト１８６は鉛直方向に延設されており、上端部がベアリング１８４に挿通される。軸受け１８７には２つの凹部が設けられており、この２つの凹部に２本のシャフト１８６が挿入される。
【００９３】
また、本実施形態に係る距離調整機構は、印刷ヘッド１５０が光ディスク５のレーベル面に接触しない位置であって、かつ、インク吐出部１５０ａから吐出されたインク滴をレーベル面に到達させることができる印刷可能位置に印刷ヘッド１５０を移動させる。
【００９４】
印刷ヘッドメンテナンス機構１９０は、キャップ１９２及びインク溜め１９４を有し、光ディスク装置１００の底部に固定された略Ｕ字状のメンテナンス機構支持部材１９６により支持されている。キャップ１９２は、印刷ヘッド１５０のインク吐出口１５０ａの乾燥を抑制するためのもので、印刷待機中は、印刷ヘッド１５０のインク吐出部１５０ａはキャップ１９２によりキャップされる。また、インク溜め１９４は、例えば、インク吐出部１５０ａが詰まってインクが出ないというような印刷エラーを防止するために、印刷ヘッド１５０に空気が混入しないように空うち（レーベル印刷とは関係なくインク吐出部１５０ａからインクを吐出させること）する場所である。これらキャップ１９２及びインク溜め１９４を有する印刷ヘッドメンテナンス機構１９０は、光ディスク５の排出側（取り出し口側）とは反対側の光ディスク装置１００の後方側（後面板１１６側）に設置されている。なお、この印刷ヘッドメンテナンス機構１９０が設けられている位置が、印刷ヘッド１５０の待機位置となる。
【００９５】
（光ディスク装置１００のレーベル印刷部の動作）
以上、本実施形態に係る光ディスク装置１００のレーベル印刷部Ｌ１の構成について説明したが、続いて、このような構成を有するレーベル印刷部Ｌ１の動作について詳細に説明する。
【００９６】
（Ｉ）印刷ヘッド１５０のレーベル印刷時の動作
例えば、印刷ヘッド１５０が、光ディスク５のレーベル面から離隔した退避位置にあるとする。すなわち、印刷ヘッド１５０のインク吐出部１５０がキャップ１９２によりキャップされている状態であるとする。この状態で、ヘッド駆動モータ１６０の回転によりピニオン１６２が回転すると、ピニオン１６２がラックネジ１６４に沿って、ラジアル方向の光ディスク５側（前面板１１４側）に移動する。このピニオン１６２は、ヘッド駆動モータ１６０やヘッド支持板１５４を介して、ベアリング部材１５６と連結されているため、ベアリング部材１５６が、ピニオン１６２の移動と協働して、ラジアル方向の光ディスク５側に移動する。この場合、ベアリング部材１５６の内部を、図示しないリニアベアリングを介してシャフト１５７が挿通していることから、ベアリング部材１５６は、ラジアル方向に互いに平行に配置された２本のシャフト１５７に案内されて、ラジアル方向に平行な方向に直線的に移動することができる。さらに、印刷ヘッド１５０は、ヘッドホルダ１５２またはヘッド支持部材１５４を介してベアリング部材１５６と連結されているので、印刷ヘッド１５０は、結局、ピニオン１６２の移動と協働して、ラジアル方向と平行な方向に移動する。
【００９７】
ここで、印刷ヘッド１５０は、ラジアル軸からオフセットされた位置にその中心が来るように配置されていてもよい。この場合、ベアリング部材１５６の移動、すなわち、ピニオン１６２の移動に伴い、ラジアル軸からオフセットされた位置をラジアル方向と平行な方向に、光ディスク５の内周及び外周に向けて自在に移動することができる。このような場合には、印刷ヘッド１５０がラジアル軸上からオフセットされており、印刷ヘッド１５０は、チャッキングプレート１３０や光学ピックアップ１４０とは干渉しない位置で移動することができる。
【００９８】
また、印刷ヘッド１５０は、光ディスク５を含む領域を光学ピックアップ１４０の移動方向（すなわち、本実施形態においては、ラジアル軸）に沿って分割して得られる２つの領域のうち、光ディスク５の回転方向に対して光学ピックアップ１４０よりも下流側に位置する領域に配置されることが好ましい。これは、印刷ヘッド１５０から吐出されて浮遊しているインクミストが、光ディスク５の回転に伴い発生する流れにより光ディスク５の外側に向かうが、印刷ヘッド１５０が光学ピックアップ１４０よりも上流側にオフセットして配置されていると、浮遊しているインクミストが光学ピックアップ１４０側に溜まりやすくなり、光学ピックアップ１４０を汚染するためである。一方、印刷ヘッド１５０が光学ピックアップ１４０よりも下流側にオフセットして配置されていると、側面板１１８の方向に向かってインクが流れるので、例えば、側面板１１８にミスト吸収体を設けるなどして、光学ピックアップ１４０の汚染を防止し、浮遊するインクミストを回収することが容易となる。
【００９９】
さらに、上述したように、本実施形態においては、印刷ヘッド１５０のラジアル方向に平行な方向の移動は、リミットセンサ１６８により制御される。すなわち、印刷ヘッド１５０が装置前面側に移動し、リミットセンサ用遮光板１６９がリミットセンサ１６８の凹部１６８ａに位置すると、リミットセンサ用遮光板１６９が、凹部１６８ａ内を通過する光を遮断する。すると、リミットセンサ１６８の受光素子は発光素子からの光を受光できなくなり、これにより、印刷ヘッド１５０がこれ以上装置前面側に移動しないように制御される。
【０１００】
ここで、上記の例では、印刷ヘッド１５０が直線的に常にラジアル方向と平行な方向に移動する例について説明したが、印刷ヘッド１５０は、チャッキングプレート１３０や光学ピックアップ１４０と干渉しないように動くのであれば、必ずしも常にラジアル方向と平行な方向に移動する必要はない。ただし、光ディスク５へのレーベル印刷を効率良く高速に行うためには、印刷ヘッド１５０は、少なくとも光ディスク５上を移動する間は、光ディスク５のラジアル方向と平行な方向に移動し、光ディスク５上から外れた後は、ラジアル方向と平行でない方向に移動してもよい。
【０１０１】
すなわち、印刷ヘッド１５０は、レーベル印刷を行っていない場合には退避位置において、クリーニング等のメンテナンスが行われたり、インク吐出部１５０ａの乾燥を防ぐ等の目的でキャップが行われたりしているが、この待避位置は、ラジアル軸上を移動する光学ピックアップ１４０等の部材と干渉しない（接触しない）位置である必要がある。したがって、退避位置は、光ディスク５の中央部に近い側よりも外周に近い側（側面板１１８に近い側）にあることが好ましい。したがって、印刷ヘッド１５０は、光ディスク５上を外れて退避位置に移動する場合には、レーベル印刷を行っている場合よりもさらに外側に移動するようにラジアル軸に平行でない方向に移動することができるように構成してもよい。なお、レーベル印刷の容易性や印刷速度などを考慮しなければ、印刷ヘッド１５０が光ディスク５上にある場合であっても、チャッキングテーブル１３０等の部材と干渉しないように移動すれば、必ずしもラジアル軸と平行な軸上を直線的に動かなくてもよい。
【０１０２】
上述したようにして、光ディスク５のレーベル面上に移動した印刷ヘッド１５０は、レーベル面上をラジアル方向に往復しながらインク吐出部１５０ａからインクを吐出することにより、光ディスク５にレーベル印刷を行うことができる。
【０１０３】
以上のようにして、本実施形態に係るレーベル印刷部Ｌ１は、上述した図７の印刷例に示すように、光ディスク５等のディスク状記録媒体のレーベル面に文字や画像等を印刷することができる。
【０１０４】
（ＩＩ）印刷ヘッド１５０と光ディスク５との距離調整時の動作
上述したような距離検出部により、光ディスク５のレーベル面と印刷ヘッド１５０のインク吐出部１５０ａとの距離が検出された後に、その検出結果に応じて、距離調整機構が光ディスク５のレーベル面と印刷ヘッド１５０との距離を調整する場合の動作について説明する。
【０１０５】
例えば、距離検出部の検出結果によれば、印刷ヘッド１５０と光ディスク５とが衝突するほど近い状態にあるとする。この状態で、ヘッド昇降用モータ１８０が回転すると、可支持部材１８０がヘッド昇降用モータ１８０の回転により鉛直方向に上昇する。この際、上端が支持部材１８２の下面側に取り付けられ、下端部が軸受け１８７に挿入されたシャフト１８６が、支持部材１８２とともに上昇し、支持部材１８２が軸受け１８７から離隔する。ここで、支持部材１８２は、ヘッドホルダ１５２の側面に取り付けられていることから、支持部材１８２の上昇に伴い、ヘッドホルダ１５２も鉛直方向に上昇し、印刷ヘッド１５０が光ディスク５のレーベル面から離反する。
【０１０６】
一方、距離検出部の検出結果によれば、インク吐出部１５０ａから吐出されたインク滴が光ディスク５のレーベル面に着弾せずにミストなってしまう遠い状態にあるとする。この状態で、ヘッド昇降用モータ１８０が上記とは逆方向に回転すると、支持部材１８２がヘッド昇降用モータ１８０の回転により鉛直方向に下降する。この際、上端が支持部材１８２の下面側に取り付けられ、下端部が軸受け１８７に挿入されたシャフト１８６が、支持部材１８２とともに下降し、支持部材１８２が軸受け１８７に接近する。ここで、支持部材１８２は、ヘッドホルダ１５２の側面に取り付けられていることから、支持部材１８２の下降に伴い、ヘッドホルダ１５２も鉛直方向に下降し、印刷ヘッド１５０が光ディスク５のレーベル面に接近する。
【０１０７】
以上のようにして、距離調整機構により印刷ヘッド１５０を移動させて、ディスク５のレーベル面と印刷ヘッド１５０との距離を調整することにより、光ディスク５と印刷ヘッド１５０が衝突したり、印刷ヘッド１５０から吐出されたインク滴がミストとなって光ディスク装置１００の内部を汚染したりすることを防止することができる。
【０１０８】
（ミストの流れについて）
次に、図１１及び図１２を参照しながら、本実施形態に係る光ディスク装置１００内部におけるインク滴のミストの流れについて説明する。図１１は、本実施形態に係る印刷ヘッド１５０からインク滴が吐出した状態を示す説明図である。図１２は、本実施形態に係る光ディスク装置１００内部におけるインク滴のミストの流れを示す説明図である。
【０１０９】
上述したように、一般に、印刷ヘッド１５０から吐出されるインク滴の全てが光ディスク５の印刷面に着弾されるものではなく、着弾しなかったインク滴はミストとなって装置内に浮遊し、内部の機構や機器等を汚染する場合がある。
【０１１０】
印刷ヘッド１５０と被印刷媒体（光ディスク５のレーベル面）との相対的な移動によって、インクヘッド方式による画像の印刷が行われる。図１１に示すように、適切な大きさ、例えば、直径１０μｍを有するインク滴Ｌは、光ディスク５のレーベル面に到達して、文字、図形等の可視情報を形成する。一方、インク滴Ｌと共に吐出されたインク滴Ｌよりも小容量のミストＭ（例えば、直径５μｍ）は、印刷ヘッド１５０と被印刷媒体との相対的な移動があることで、光ディスク５のレーベル面に着弾せず、光ディスク装置１００内を浮遊する。また、更に小容量のミストＮ（例えば、直径１μｍ）は、インク吐出部１５０ａから吐出された後、インク吐出部１５０ａ近傍に付着する。
【０１１１】
本実施形態では、光ディスク５がディスク回転機構のスピンドルモータにより回転駆動されながら印刷を行う、いわゆる、Ｒθ印刷方式を用いている。光ディスク５がディスク回転機構によって一定速度で回転すると、光ディスク５の周囲には、光ディスク５の回転に沿って、光ディスク５の中心から半径方向外側に向かう定常的な空気の流れが発生する。
【０１１２】
そのため、図１２に示すように、光ディスク５の回転駆動した際に発生する空気流の中で印刷ヘッド１５０のインク吐出部１５０ａからインク滴を吐出すると、吐出速度が遅いインク滴や空気抵抗を多く受けるようなインク滴（ミストＭ）は、光ディスク５の回転により生じる空気の流れ（気流）に乗って、光ディスク装置１００内を浮遊する。具体的には、インク吐出部１５０ａから吐出されたインク滴のミストＭは、光ディスク５の中心から半径方向外側に向かう気流に乗って、図の矢印Ｍａで示したように、筐体１１０の側面やトレイ１２０上の凹部であるディスク載置部１２２の切り欠き部１２２ａに向かって浮遊する。筐体１１０の側面に到達したミストＭの一部は、筐体１１０の側面に衝突し、光ディスク５の記録面側あるいはトレイ１２０の下方に回りこみ、光学ピックアップ１４０やその他の装置内部の構成部品を汚染する。切り欠き部１２２ａに到達したミストＭの一部は、この切り欠き部１２２ａから光ディスク５の記録面側あるいはトレイ１２０の下方に回りこみ、光学ピックアップ１４０やその他の装置内部の構成部品を汚染する。ミストＭの残りは、光ディスク５の中心から半径方向外側に向かう気流に乗って、図の矢印Ｍｂで示したように、光ディスク５の外周に沿って光ディスク５の上方を浮遊する。さらに、ミストＭは、矢印Ｍｃに示すように、気流に乗って光ディスク装置１００の後方に浮遊し、拡散する。拡散したミストＭの一部は、矢印Ｍｂに示すように、再び光ディスク５の外周に沿って浮遊する。また、拡散したミストＭの他の一部は、例えば、矢印Ｍｄに示すようにさらに光ディスク装置１００の公報に浮遊し、装置内の気流に乗って、矢印Ｍｅに示すように、光ディスク５の中心に向かって浮遊する。光ディスク５の中心に到達したミストＭは、矢印Ｍｆに示すように、トレイ１２０の開口部１２０ａから下方に向かい、光学ピックアップ１４０やその他の装置内部の構成部品を汚染する。
【０１１３】
（第１の実施形態に係る気流誘導部等について）
そこで、本実施形態に係る光ディスク装置１００では、次に説明するように、本実施形態に係る気流誘導部として、レーベル印刷部Ｌ１が設置される基板１０１上に、少なくとも１つ以上の開口部を設けている。以下、図１３及び図１４を参照しながら、本実施形態に係る気流誘導部について詳細に説明する。なお、図１３は、本実施形態に係るレーベル印刷部Ｌ１の構成を示す斜視図である。また、図１４は、本実施形態に係る基板１０１を下面側（光ディスク５の記録面側）から見た平面図である。
【０１１４】
図１３及び図１４に示すように、本実施形態では、ドライブ部Ｄ１は、光ディスク装置１００の底板（図示せず）上に設けられ、その四方を側壁１０３により囲まれている。また、ドライブ部Ｄ１とレーベル印刷部Ｌ１とは基板１０１により区画され、この基板１０１上に、レーベル印刷部Ｌ１の各構成部品（例えば、印刷ヘッド１５０、ヘッド移動機構、距離調整機構、ヘッドクリーニング機構等）が設けられる。すなわち、基板１０１は、光ディスク５のレーベル面側に配置される。
【０１１５】
基板１０１上には、印刷ヘッド１５０から吐出したインク滴を、基板１０１よりも下方に装着されている光ディスク５のレーベル面に向けて付着させるために、スリット状の開口部１０１ａが形成されている。このスリット状の開口部１０１ａは、その長手方向と、印刷ヘッド１５０の移動方向（本実施形態では、ラジアル方向と平行な方向）とが一致するように設けられている。また、開口部１０１ａの長さは、印刷ヘッド１５０の移動距離と略同一かそれ以上であり、開口部１０１ａの幅は、インク吐出部１５０ａの幅と略同一かそれ以上である。なお、開口部１０１ａは、ドライブ部Ｄ１のインク滴による汚染を防止する観点から、できるだけ小さい方が望ましい。
【０１１６】
また、基板１０１上には、本実施形態に係る気流誘導部を構成する開口部の一例として、ダクト１０２Ａ及び開口部１０２Ｂが設けられている。ダクト１０２Ａは、基板１０１の縁部に、下面及び一側面（側面板１１８側の面）が開放され、他が閉止された通気路として形成され、基板１０１から上方に突出するように設けられている。これにより、ダクト１０２Ａは、基板１０１の下方における光ディスク５の回転により生じる気流を、基板１０１よりも上方において水平方向へ誘導する。特に、本実施形態では、ドライブ部Ｄ１内の構成部品（例えば、光学ピックアップ１４０等）の汚染を防止するために、基板１０１の上方において、水平方向の外側（側面板１１８側）へ、気流を誘導する。また、開口部１０２Ｂは、基板１０１の縁部にスリット状の開口として形成されている。これにより、開口部１０２Ｂは、基板１０１の下方における光ディスク５の回転により生じる気流を、基板１０１を通過させて鉛直方向上方へ誘導する。このように、ダクト１０２Ａ及び開口部１０２Ｂは、光ディスク５の回転により生じる気流を、ドライブ部Ｄ１よりも上部において、水平方向外側または鉛直方向上方へ誘導する。すなわち、この気流は、ドライブ部Ｄ１またはその内部の構成部品（例えば、光学ピックアップ１４０等）から離隔する方向へ誘導される。従って、印刷ヘッド１５０から吐出されたインク滴のミストが発生した場合でも、このミストは、ダクト１０２Ａや開口部１０２Ｂにより誘導された気流に乗り、ドライブ部Ｄ１またはその内部の構成部品（例えば、光学ピックアップ１４０等）から離隔する方向へ浮遊しやすくなる。これにより、本実施形態に係る光ディスク装置１００では、ドライブ部Ｄ１内のミストによる汚染を抑制することができる。
【０１１７】
なお、本実施形態では、ダクト１０２Ａ及び開口部１０２Ｂの双方が設けられているが、必ずしも双方が設けられている必要はなく、ダクト１０２Ａと開口部１０２Ｂの少なくともいずれか一方が設けられていれば、上記の汚染抑制効果を得ることができる。また、ダクト１０２Ａと開口部１０２Ｂの数も特に限定されず、光ディスク５の回転により生じる気流をドライブ部Ｄ１またはその内部の構成部品（例えば、光学ピックアップ１４０等）から離隔する方向へ誘導可能な位置に少なくとも１つ設けられていればよい。
【０１１８】
また、図１４に示すように、本実施形態に係るダクト１０２Ａ及び開口部１０２Ｂは、スピンドル１３６に装着された光ディスク５の外周部の近傍に配置されている。このような位置に配置されることにより、ダクト１０２Ａまたは開口部１０２Ｂは、光ディスク５の回転により生じる気流を効率的にダクト１０２Ａや開口部１０２Ｂに引き込み、ドライブ部Ｄ１、特に、光学ピックアップ１４０の汚染の抑制効果を高めることができる。
【０１１９】
ここで、図１５Ａ及び図１５Ｂを参照しながら、ダクト１０２Ａまたは開口部１０２Ｂの好適な設置位置について説明する。図１５Ａ及び図１５Ｂは、本実施形態における印刷ヘッド１５０による光ディスク５の外周印刷時におけるミストの流れを示す説明図である。また、図１５Ａ及び図１５Ｂでは、印刷ヘッド１５０がラジアル軸上からずれた軸（オフセットされた軸）上をラジアル方向と平行に移動するように設けられており、この印刷ヘッド１５０が、光ディスク５の外周部を印刷する場合を例に挙げて説明する。
【０１２０】
図１５Ａに示すように、印刷ヘッド１５０によって光ディスク５の外周側を印刷する際には、印刷ヘッド１５０のインク吐出部１５０ａから吐出されたインク滴のミストＭは、印刷ヘッド１５０のインク吐出部１５０ａを発生源として、光ディスク５のレーベル面上で回転による空気の流れに乗って、光ディスク５の回転方向の下流側、すなわち、本実施形態の配置では光ディスク５の外周からドライブ部Ｄ１の側壁１０３（印刷ヘッド１５０側の側壁１０３）に向かって飛散する。
【０１２１】
次に、ミストＭは、光ディスク５の最外周の辺部に到達し、その後、最外周の外の光ディスク５の無い場所へ到達して、ミストＭを含む気流がドライブ部Ｄ１の側壁１０３に衝突する。そして、側壁１０３に衝突すると、ミストＭは、光ディスク５が回転駆動する際に光ディスク５の辺部とその周囲の側壁１０３と基板１０１の構造で発生する空気の流れに乗って、ドライブ部Ｄ１内全体に拡散する。このとき、ミストＭを含む気流が最外周の外の光ディスク５の無い場所へと到達して側壁１０３に衝突した後、ミストＭは、光ディスク５のレーベル面上だけでなく、光ディスク５のレーベル面と反対側の面、すなわち、記録面の下を通過する気流に乗って、ドライブ部Ｄ１内全体に拡散する。このように、光ディスク５の記録面の下に拡散したミストＭは、光学ピックアップ１４０やその他の構成部品を汚染する。
【０１２２】
このとき、光ディスク５の回転により生じる気流は、その方向と光ディスク５との接点Ｑにおける接線方向（図１５Ａの矢印Ｍ１の方向）に最も大きくなるので、インク吐出部１５０ａから吐出されたインク滴のミストＭは、接線Ｍ１の方向の方向へ最も多く飛散する。従って、接線Ｍ１の方向、すなわち、インク吐出部１５０ａから吐出されたインク滴のミストＭが側壁１０３に衝突する位置の近傍の領域（側面板１１８側の領域）Ａ１に、ダクト１０２Ａまたは開口部１０２Ｂを設けることが好適である。このような観点から、上述した図１３及び図１４においては、基板１０１上において、光ディスク５の外周部の近傍の側面板１１８側に、ダクト１０２Ａを設けた例を示した。
【０１２３】
また、領域Ａ１にダクト１０２Ａまたは開口部１０２Ｂを設けない場合には、図１５Ｂに示すように、ミストＭは、光ディスク５の回転による気流に乗って、側壁１０３に沿って光ディスク装置１００の前方、すなわち、前面板１１４の方に向かって飛散する（図１５Ｂの矢印Ｍ２）。従って、このような場合には、基板１０１（図１３，１４を参照）上の前面板１１４側（特に、印刷ヘッド１５０がラジアル軸からオフセットされている場合には、印刷ヘッド１５０がオフセットされている側）の領域Ａ２に、ダクト１０２Ａまたは開口部１０２Ｂを設けることが好適である。このような観点から、上述した図１３及び図１４においては、基板１０１上において、光ディスク５の外周部と前面板１１４の間に、開口部１０２Ｂを設けた例を示した。
【０１２４】
なお、領域Ａ１にダクト１０２Ａまたは開口部１０２Ｂに設けた場合であっても、領域Ａ２にダクト１０２Ａまたは開口部１０２Ｂを設けることは問題なく、むしろ、光ディスク５の回転により生じる気流を、ドライブ部Ｄ１またはその内部の構成部品（例えば、光学ピックアップ１４０等）から離隔する方向へ誘導して、ミストＭによるドライブ部Ｄ１内の汚染を抑制する効果が高まるため好ましい。
【０１２５】
また、印刷ヘッド１５０が光ディスク５の内周部を印刷する場合には、インク吐出部１５０ａから吐出されたインク滴のミストＭは、光ディスク５の中心の位置と印刷ヘッド１５０のインク吐出部１５０ａの位置とを結んだ直線と直交する方向に生じる定常的な気流に乗って、光ディスク装置１００の前面板１１４の方へ飛散する。従って、領域Ａ２にダクト１０２Ａまたは開口部１０２Ｂを設けることが特に好適である。
【０１２６】
続いて、図１６を参照しながら、本実施形態に係る気流誘導部の他の例について説明する。図１６は、本実施形態に係る気流誘導部として他の例を採用した光ディスク装置１００のドライブ部Ｄ１及びレーベル印刷部Ｌ１の構成を示す斜視図である。
【０１２７】
図１６に示すように、この例では、本実施形態に係る気流誘導部として、ドライブ部Ｄ１の側壁１０３に開口部１０２Ｃを設けている。開口部１０２Ｃは、ドライブ部Ｄ１の側壁１０３に、この側壁１０３を貫通する貫通孔として形成されている。これにより、開口部１０２Ｃは、ドライブ部Ｄ１内で光ディスク５の回転により生じる気流を、側壁１０３を通過させてドライブ部Ｄ１の外部へ略水平方向に誘導する。このように、開口部１０２Ｃは、光ディスク５の回転により生じる気流を、ドライブ部Ｄ１から直接外部へ誘導する。すなわち、この気流は、ドライブ部Ｄ１またはその内部の構成部品（例えば、光学ピックアップ１４０等）から離隔する方向へ誘導される。従って、印刷ヘッド１５０から吐出されたインク滴のミストが発生した場合でも、このミストは、開口部１０２Ｃにより誘導された気流に乗り、ドライブ部Ｄ１またはその内部の構成部品（例えば、光学ピックアップ１４０等）から離隔する方向へ浮遊しやすくなる。これにより、本実施形態に係る光ディスク装置１００では、ドライブ部Ｄ１内のミストによる汚染を抑制することができる。
【０１２８】
また、開口部１０２Ｃは、トレイ１２０のディスク載置部１２２の側面板１１８側に位置する切り欠き部１２２ａ（図１２等を参照）の近傍に設けられることが好ましい。これは、上述したように、光ディスク５の回転により生じる気流は、ディスク載置部１２２の側面板１１８側に位置する切り欠き部１２２ａから、光ディスク５やトレイ１２０の下面側に回り込むためである。従って、この開口部１０２Ｃを切り欠き部１２２ａの近傍に設けることにより、開口部１０２Ｃは、光ディスク５の回転により生じる気流を効率的に開口部１０２Ｃに引き込み、気流に乗ったミストＭをドライブ部Ｄ１の外部に効率的に誘導し、ドライブ部Ｄ１、特に、光学ピックアップ１４０の汚染の抑制効果を高めることができる。
【０１２９】
なお、図１６の例では、ドライブ部Ｄ１の側壁１０３に開口部１０２Ｃが設けられている例を示したが、開口部１０２Ｃの代わりに、あるいは、開口部１０２Ｃとともに、図１３等に示したようなダクト（図示せず）を設けてもよい。この場合、ダクトは、例えば、その側壁１０３側（ドライブ部Ｄ１の内部側）及び上面側が開口するように設ければよい。また、開口部１０２Ｃとともに、上述したダクト１０２Ａや開口部１０２Ｂを設けてもよい。このように、開口部１０２Ｃとともにダクト１０２Ａや開口部１０２Ｂを設けることにより、ドライブ部Ｄ１、特に、光学ピックアップ１４０の汚染の抑制効果を高めることができる。
【０１３０】
本実施形態に係る光ディスク装置１００では、上述したようなダクト１０２Ａ、開口部１０２Ｂ、開口部１０２Ｃ等の気流誘導部の出口部、すなわち、気流誘導部により誘導された気流の当該気流誘導部よりも下流側に、気流に乗ったミストＭを吸収させるミスト吸収体を設けてもよい。このようにミスト吸収体を設けて、ミスト吸収体にミストＭを吸収させることにより、気流に乗ったミストＭが、光ディスク装置１００の筐体１１０（例えば、側面板１１８）に衝突して、再びドライブ部Ｄ１内に戻ることを防止することができ、ドライブ部Ｄ１内の汚染抑制効果をさらに高めることができる。
【０１３１】
本実施形態に係るミスト吸収体の材質としては、エアクリーナ等に用いられる不織布などの他に、発泡材（例えば、ウレタン製のスポンジ）等のポーラス材料を用いることができる。ミストＭは水分を多く含んでいることから、ミストＭの吸着能という観点から、ミスト吸収体の材質としては、親水性の発泡材が特に好適である。また、ミスト吸収体は、気流に乗ったミストＭが吹き付けられると、このミストＭをミスト吸収体の内部で吸着させる（吸収する）ため、ミストＭが乾燥した後に、ミスト吸収体から剥離し、粉状のミストＭが再び筐体１１０内を浮遊するといったことを防止することができる。
【０１３２】
このようなミスト吸収体の例を図１７に示す。図１７は、本実施形態に係るミスト吸収体１０５の例を示す説明図である。ミスト吸収体１０５としては、例えば、図１７の左図に示すように、ミストＭを含む気流を透過させることによりミストＭを吸収する透過型のミスト吸収体１０５や、図１７の右図に示すように、ミストＭを含む気流を照射する（透過させない）ことによりミストを捕集する照射型のミスト吸収体１０５などが考えられる。透過型のミスト吸収体１０５とするには、照射型のミスト吸収体１０５よりも、不織布の目を粗くしたり、ポーラス材料の気孔率が低くしたりすればよい。
【０１３３】
ミスト吸収体１０５は、上述したように、気流誘導部により誘導された気流の当該気流誘導部よりも下流側に設けられるが、ミスト吸収体１０５のより具体的な設置の態様としては、以下のようなものがある。例えば、ダクト１０２Ａや開口部１０２Ｂにおける気流の出口近傍にミスト吸収体１０５を配置し、このミスト吸収体１０５に直接ミストＭを吸収させる場合がある。また、ドライブ部Ｄ１の側壁１０３の外側の表面にミスト吸収体１０５を配置し、ダクト１０２Ａにより誘導した気流に含まれるミストＭをミスト吸収体１０５に吸収させる場合がある。また、ドライブ部Ｄ１の側壁１０３に設けられた開口部１０２Ｃを覆うようにミスト吸収体１０５を配置し、開口部１０２Ｃでミスト吸収体１０５に直接ミストＭを吸収させる場合がある。このように、種々の態様が考えられるが、このうち、ドライブ部Ｄ１の側壁１０３の外側の表面にミスト吸収体１０５を配置する例を図１８に示す。図１８は、本実施形態に係るミスト吸収体１０５をドライブ部Ｄ１の側壁１０３の外側に配置した例を示す斜視図である。
【０１３４】
図１８に示すように、本実施形態に係るミスト吸収体１０５は、ドライブ部Ｄ１の側壁１０３と、光ディスク装置１００の筐体１１０の側面板１１８との間（この例では、側壁１０３の外側の表面）に配置されている。そして、このミスト吸収体１０５は、ダクト１０２Ａの側壁１０３側の開口部を覆うように設けられている。ドライブ部Ｄ１内で光ディスク５の回転により生じた光ディスク５の外周部に沿った気流は、上述したように、ダクト１０２Ａによりドライブ部Ｄ１から基板１０１の上部の水平方向外側（側壁１０３側）へ誘導される。このとき、ダクト１０２Ａの側壁１０３側の開口部を覆うようにミスト吸収体１０５が配置されることにより、ダクト１０２Ａの側壁１０３側の開口部から外側に向かう気流に乗ったミストＭが、ダクト１０２Ａの出口付近で、ミスト吸収体１０５に吸収される。
【０１３５】
なお、ミスト吸収体１０５は、側壁１０３の全面を覆うように設けてもよいが、少なくとも、ダクト１０２Ａの側壁１０３側の開口を覆うように設けられていれば、ミスト吸収体１０５によりミストＭが吸収され、ドライブ部Ｄ１内の汚染抑制効果を高めることができる。
【０１３６】
続いて、図１９を参照しながら、本実施形態における気流誘導部とミスト吸収体の他の例について説明する。図１９は、本実施形態における気流誘導部とミスト吸収体の他の例を示す説明図であり、ドライブ部Ｄ１を基板１０１の下面側（光ディスク５の記録面側）から見た斜視図である。
【０１３７】
図１９に示すように、この例では、レーベル印刷部Ｌ１の下面側、具体的には、基板１０１の下面側に、光ディスク５の外周部に沿ってリブ１０７及びミスト吸収体１０５を設けた例である。この場合、リブ１０７が本実施形態に係る気流誘導部の一例となっている。この例においても、印刷ヘッド１５０がラジアル軸からオフセットされた位置に設けられており、印刷ヘッド１５０がオフセットされている方の側壁１０３側の一部（例えば、ディスク載置部１２２の切り欠き部１２２ａの近傍）、及び、前面側（前面板１１４側）の一部に、ミスト吸収体１０５が配置されている。上述したように、光ディスク５の回転により生じた気流に乗ったミストＭは、側壁１０３で衝突して光ディスク５やトレイ１２０の下面側に回り込んだり、側壁１０３に沿って光ディスク装置１００の前面側（前面板１１４側）に拡散したりする。従って、このようなミストＭを含む気流をドライブ部Ｄ１の外部、特に、光学ピックアップ１４０から離隔する方向へ誘導するために、リブ１０７を基板１０１の下面において、光ディスク５の外周部に沿って、側壁１０３側の一部と前面側の一部には、リブ１０７を設けずに気流を誘導するとともに、ミスト吸収体１０５を配置して、誘導された気流に乗ったミストＭを捕集する。
【０１３８】
このように、リブ１０７を基板１０１の下面において、光ディスク５の外周部に沿って、側壁１０３側の一部と前面側の一部を除く部分に設けることにより、リブ１０７が設けられていない部分に、スピンドル１３６による光ディスク５の回転により生じる気流が誘導される。そして、この気流が誘導された部分にミスト吸収体１０５を設置することにより、誘導された気流に乗ったミストＭがミスト吸収体１０５に吸収され、ミストＭが再びドライブ部Ｄ１内に戻ることを防止することができる。
【０１３９】
続いて、図２０を参照しながら、本実施形態における気流誘導部とミスト吸収体のさらに他の例について説明する。図２０は、本実施形態における気流誘導部とミスト吸収体のさらに他の例を示す説明図であり、光ディスク装置１００がトレイ方式の場合に、トレイ１２０に気流誘導部とミスト吸収体を設けた例を示す斜視図である。
【０１４０】
図２０に示すように、この例では、光ディスク装置１００がトレイ方式の場合に、トレイ１２０に気流誘導部の一例としてのリブ１０７と、ミスト吸収体１０５と、を設けた例である。この例では、トレイ１２０の光ディスク５が載置されるディスク載置部１２２の周囲に、リブ１０７及びミスト吸収体１０５が設けられている。また、この例においても、印刷ヘッド１５０がラジアル軸からオフセットされた位置に設けられており、印刷ヘッド１５０がオフセットされている方の側壁１０３側の一部（例えば、ディスク載置部１２２の切り欠き部１２２ａの近傍）、及び、前面側（前面板１１４側）の一部に、ミスト吸収体１０５が配置されている。上述したように、光ディスク５の回転により生じた気流に乗ったミストＭは、側壁１０３で衝突して光ディスク５やトレイ１２０の下面側に回り込んだり、側壁１０３に沿って光ディスク装置１００の前面側（前面板１１４側）に拡散したりする。従って、このようなミストＭを含む気流をドライブ部Ｄ１の外部、特に、光学ピックアップ１４０から離隔する方向へ誘導するために、リブ１０７をトレイ１２０上において、光ディスク５の外周部に沿って、側壁１０３側の一部と前面側の一部には、リブ１０７を設けずに気流を誘導するとともに、ミスト吸収体１０５を配置して、誘導された気流に乗ったミストＭを捕集する。
【０１４１】
このように、リブ１０７をトレイ１２０上において、光ディスク５の外周部に沿って、側壁１０３側の一部と前面側の一部を除く部分に設けることにより、リブ１０７が設けられていない部分に、スピンドル１３６による光ディスク５の回転により、光ディスク５の外周部に生じる気流が誘導される。そして、この気流が誘導された部分にミスト吸収体１０５を設置することにより、誘導された気流に乗ったミストＭがミスト吸収体１０５に吸収され、ミストＭが再びドライブ部Ｄ１内に戻ることを防止することができる。
【０１４２】
続いて、図２１を参照しながら、本実施形態における気流誘導部とミスト吸収体のさらに他の例について説明する。図２１は、本実施形態における気流誘導部とミスト吸収体のさらに他の例を示す説明図であり、光ディスク装置１００がトレイ方式の場合に、トレイ１２０に気流誘導部とミスト吸収体を設けた例を示す斜視図である。
【０１４３】
図２１に示すように、この例では、先程の図２０の例と同様に、光ディスク装置１００がトレイ方式の場合に、トレイ１２０に気流誘導部の一例としてのリブ１０７と、ミスト吸収体１０５と、を設けた例である。この例でも、トレイ１２０の光ディスク５が載置されるディスク載置部１２２の周囲に、リブ１０７及びミスト吸収体１０５が設けられているが、図２０の例とは異なり、リブ１０７及びミスト吸収体１０５が、ディスク載置部１２２の外周部に嵌め込まれている。なお、他の点については、上述した図２０の例と同様であるので、詳細な説明を省略する。
【０１４４】
続いて、図２２を参照しながら、本実施形態における気流誘導部とミスト吸収体のさらに他の例について説明する。図２２は、本実施形態における気流誘導部とミスト吸収体のさらに他の例を示す説明図であり、光ディスク装置１００がトレイ方式の場合に、トレイ１２０に気流誘導部とミスト吸収体（図示せず）を設けた例を示す斜視図である。
【０１４５】
図２２に示すように、この例では、光ディスク装置１００がトレイ方式の場合に、トレイ１２０に気流誘導部の一例としての開口部１２０ｂと、ミスト吸収体（図示せず）と、を設けた例である。この例では、本実施形態に係る気流誘導部として、トレイ１２０の光ディスク５が載置されるディスク載置部１２２の面とトレイ１２０の上面との段差部において、載置された光ディスク５の外周部の近傍に水平方向のスリット状の開口部１２０ｂが設けられている。そして、このスリット状の開口部１２０ｂの気流の出口側（トレイ１２０の裏面側）に、図示しないミスト吸収体が設置されている。
【０１４６】
また、この例において、開口部１２０ｂを設ける位置としては、インク滴が吐出されるインク吐出部１５０ａの位置に対して、スピンドル１３６による光ディスク５の回転により光ディスク５の外周部に発生した気流の下流側に設けられることが好ましい。特に、気流に乗ったミストＭの濃度が最も濃いと考えられるインク吐出部１５０ａから最も近い位置（光ディスク５が時計回りに回転しているとした場合、図２２に示した位置）に設けることが、さらに好ましい。このような位置に開口部１２０ｂを設けることにより、ミストＭを含む気流をドライブ部Ｄ１の外部、特に、光学ピックアップ１４０から離隔する方向へ効率的に誘導することができる。そして、気流が誘導された先にミスト吸収体を配置することにより、開口部１２０ｂにより誘導された気流に乗ったミストＭを効率的に捕集することができる。従って、このように、開口部１２０ｂを設けることにより、ドライブ部Ｄ１、特に、光学ピックアップ１４０の汚染を効果的に抑制することができる。
【０１４７】
［本発明の第２の実施形態に係る光ディスク装置について］
次に、本発明の第２の実施形態に係る光ディスク装置について説明する。本実施形態に係る光ディスク装置は、上述した第１の実施形態とは、光ディスク５の回転により生じる気流をドライブ部の外部へ誘導するという点では共通しているが、気流誘導部の形態が異なるものである。
【０１４８】
まず、本実施形態に係る光ディスク装置について説明する前に、その前提として、図２３を参照しながら、上述した従来の光ディスク装置７００におけるミストＭの流れについて説明する。図２３は、従来の光ディスク装置のドライブ部内におけるミストの流れを示す前面板側から見た説明図である。
【０１４９】
図２３に示すように、従来の光ディスク装置７００では、印刷ヘッド７５０から吐出されたインク滴のミストＭは、スピンドル７３６による光ディスク５の回転により生じる定常的な気流に乗って、印刷ヘッド７５０等が設けられる基板７０１と側壁７０３とで囲まれたドライブ部内を浮遊する。この際、印刷ヘッド７５０から発生したミストＭは、定常的な気流に乗って、光ディスク５の外周部に沿って浮遊し、側壁１０３と点Ｐで衝突する。この側壁１０３と衝突したミストＭは、光ディスク５の下面（記録面）側に回り込んだり、あるいは、光ディスク５が載置されているトレイ７２０の下面側に回り込んだりして、ドライブ部内部の構成部品（例えば、光学ピックアップ等）を汚染する。このとき、ミストＭが光学ピックアップを汚染すると、光ディスク５からの反射光が低下し、最悪記録再生動作が行えないような状態に陥ってしまう、という問題があった。
【０１５０】
これに対して、ＸＹ方向に印刷する通常のインクジェットプリンタにおいては、例えば、特開２００７−１８５８３５号公報のように、ヘッドの走査により生じる空気の流れを利用する方法や、特開２０００−２１１１６３号公報のように、プリンタ内に設けられたファンによって吸引する方法等が提案されている。
【０１５１】
しかしながら、光ディスク等のディスク状記録媒体の印刷面（レーベル面）に印刷を行う場合には、ディスク状記録媒体が高速で回転しており、この回転により定常的に空気の流れが生じているため、上記インクジェットプリンタに適用される方法では、ミストによるドライブ部内の構成部品の汚染抑制効果が期待できなかった。
【０１５２】
そこで、図２４及び図２９に示すように、本実施形態に係る光ディスク装置２００においては、光ディスク５の外周部の近傍において、基板１０１の下面と側壁１０３の上端とを離隔させ、光ディスク５の回転により生じる気流の気流路２１０を設けている。この気流路２１０は、側壁１０３を貫通してドライブ部Ｄ１と側壁１０３及び筐体１１０の間の領域とを連通するように設けられ、本実施形態に係る気流誘導部としての機能を果たしている。また、図２９においては、気流路２１０を通過した気流が、側面板１１８（後述するミスト吸収体２０５を設けている場合にはミスト吸収体２０５）に衝突して跳ね返った後に、再びドライブ部内に戻ることを防止するための障壁２２０を設けた本実施形態の変形例を示している。障壁２２０の構成については後述する。
【０１５３】
なお、図２４は、本実施形態に係る光ディスク装置２００のドライブ部内におけるミストＭの流れを示す前面側から見た説明図である。また、図２９は、本実施形態に係る気流路２１０及び障壁２２０の構成例を示す斜視図であり、Ａは光ディスク５の装着前の状態、Ｂは光ディスク５の装着後の状態を示している。
【０１５４】
スピンドル１３６による光ディスク５の回転により生じる気流は、この気流路２１０を通り、ドライブ部の側壁１０３と光ディスク装置２００の側面板１１８との間の領域（以下、「インク捕集領域」という。）に到達する。このように、ドライブ部の側面に気流路２１０を設けることにより、従来の光ディスク装置７００のような、ミストＭを含む気流が側壁１０３に衝突して跳ね返ることを抑制でき、ミストＭが光ディスク５の下面（記録面）側やトレイ１２０の下面側に回りこむことを抑制することができる。従って、本実施形態によれば、ドライブ部内部の構成部品（例えば、光学ピックアップ１４０（図２９等を参照）やトレイ１２０）の汚染を抑制することができる。なお、この気流路２１０の大きさや設ける位置については、光ディスク５の回転数、トレイ１２０の形状などから、最適な大きさや位置を決定することができる。
【０１５５】
また、本実施形態に係る光ディスク装置２００では、図２４に示すように、インク捕集領域内に、ミスト吸収体２０５を配置することにより、気流に乗ったミストＭがミスト吸収体２０５に吸収される。従って、ミスト吸収体２０５を設けることにより、ドライブ部の外部に誘導した気流に乗ったミストＭを確実に捕集し、ドライブ部内部の光学ピックアップ１４０やトレイ１２０等の構成部品の汚染抑制効果を高めることができる。
【０１５６】
続いて、図２５〜図２８を参照しながら、従来の光ディスク装置７００、本実施形態に係る光ディスク装置２００、本実施形態の変形例に係る光ディスク装置２００’におけるミストＭの流れを比較しながら説明する。なお、図２５は、従来の光ディスク装置７００のドライブ部内におけるミストＭの流れを示す上面側から見た説明図である。図２６及び図２７は、本実施形態に係る光ディスク装置２００のドライブ部内におけるミストＭの流れを示す上面側から見た説明図である。図２８は、本実施形態の変形例に係る光ディスク装置２００’のドライブ部内におけるミストＭの流れを示す上面側から見た説明図である。
【０１５７】
図２５に示すように、従来の光ディスク装置７００においては、図２３で示した場合と同様に、印刷ヘッド７５０のインク吐出部７５０ａから吐出されたインク滴のミストＭを含む気流は、ドライブ部の側壁７０３に衝突する。そして、側壁７０３に衝突した気流が跳ね返り、ミストＭが光ディスク５の下面に回りこむ。
【０１５８】
一方、図２６に示すように、光ディスク５の外周部の近傍において、基板１０１の下面と側壁１０３の上端とを離隔させ、気流路２１０を設けることにより、光ディスク５の回転により生じた気流に乗ったミストＭがドライブ部の外部へ飛散し、光ディスク５の下面に回りこむことを抑制することができる。また、このとき、ドライブ部の側壁１０３と光ディスク装置２００の側面板１１８との間の領域（ミスト捕集領域）にミスト吸収体２０５を設置することにより、ドライブ部内から気流路２１０に誘導された気流に含まれるミストＭがミスト吸収体２０５に吸収される。
【０１５９】
ただし、図２７に示すように、気流路２１０を設けただけであると、ミスト吸収体２０５（ミスト吸収体２０５を設けない場合には、側面板１１８）に跳ね返った気流に含まれるミストＭが、再びドライブ部内を飛散し、光ディスク５の下面に回りこんでしまう場合がある。このように、光ディスク５の下面に回りこんだミストＭは、光学ピックアップ１４０やトレイ１２０などのドライブ部内の構成部品を汚染してしまう。
【０１６０】
そこで、図２８に示すように、本実施形態の変形例に係る光ディスク装置２００’においては、気流路２１０の入口部分（ドライブ部とミスト捕集領域の境界部分）の一部に、ミスト吸収体２０５または側面板１１８に跳ね返った気流が再びドライブ部内に戻ることを防止する障壁２２０を設けている。このように、障壁２２０を設けることにより、ミスト吸収体２０５または側面板１１８に跳ね返った気流が障壁２２０に衝突して再びミスト捕集領域内に戻される。従って、この気流中に含まれるミストＭは、ミスト捕集領域内に留まり、ドライブ部内を再び飛散し、光ディスク５の下面に回りこむことを防止することができる。ここで、ミスト捕集領域内にミスト吸収体２０５が設置されている場合には、障壁２２０を設けることにより、ミストＭの吸収（捕集）効果をさらに高めることができる。
【０１６１】
続いて、図３０Ａ〜３０Ｃ、図３１Ａ〜３１Ｃ、及び図３２Ａ〜３２Ｃを参照しながら、本発明者らが行ったシミュレーションの結果について説明する。なお、図３０Ａ〜３０Ｃは、従来の光ディスク装置についてミストの飛散状況をシミュレーションした結果を示す説明図であり、それぞれ、斜視図、平面図、正面図で示している。また、図３１Ａ〜３１Ｃは、本実施形態に係る光ディスク装置についてミストの飛散状況をシミュレーションした結果を示す説明図であり、それぞれ、斜視図、平面図、正面図で示している。また、図３２Ａ〜３２Ｃは、本実施形態の変形例に係る光ディスク装置についてミストの飛散状況をシミュレーションした結果を示す説明図であり、それぞれ、斜視図、平面図、正面図で示している。
【０１６２】
本シミュレーションは、従来の光ディスク装置７００（気流路及び障壁なし）、本実施形態に係る光ディスク装置２００（気流路２１０あり、障壁なし）、本実施形態の変形例に係る光ディスク装置２００’（気流路２１０及び障壁２２０あり）について、それぞれ、光ディスク５の回転数を１２００ｒｐｍと想定して行ったものである。
【０１６３】
まず、従来の光ディスク装置７００については、図３０Ａ及び３０Ｂに示すように、印刷ヘッド７５０のインク吐出部７５０ａから吐出されたインク滴のミストＭは、光ディスク５の回転によって生じる光ディスクの外周部の定常的な気流に乗って、まず、矢印ＭＰに示すように、ドライブ部の側壁１０３の方へ飛散する。その後、側壁１０３に衝突したミストＭの一部は、側壁１０３に沿って飛散し、矢印ＭＱに示すように、光ディスク５の外周に沿って光ディスク装置７００の前面側に飛散する。さらに、ミストＭは、矢印ＭＲに示すように、光ディスク５の外周に沿って光ディスク装置７００の後面側に飛散し、筐体７１０内に拡散する。また、矢印ＭＰに示すような軌道で、側壁１０３に衝突したミストＭの一部は、図３０Ｃに示すように、側壁１０３から跳ね返って、矢印ＭＳに示すように、光ディスク５の裏面やトレイ１２０の裏面側に回りこみ、再びドライブ部内を拡散する（図３０Ｃの丸で囲んだ部分を参照）。そのため、このような光ディスク５の裏面やトレイ１２０の裏面側に回りこんだミストＭにより、光学ピックアップ１４０やトレイ１２０などが汚染されてしまう。
【０１６４】
次に、本実施形態に係る光ディスク装置２００については、図３１Ａ及び３１Ｂに示すように、印刷ヘッド１５０のインク吐出部１５０ａから吐出されたインク滴のミストＭは、光ディスク５の回転によって生じる光ディスクの外周部の定常的な気流に乗って、まず、矢印ＭＴに示すように、ドライブ部の側壁１０３の方へ飛散する。ここで、本実施形態に係る光ディスク装置２００では、側壁１０３の方へ飛散した気流が衝突する近辺の側壁１０３の上部に気流路２１０が設けられていることから、この気流路２１０を通過した後に、側壁１０３と筐体１１０の側面板１１８との間のインク捕集領域に一旦入り込む。
【０１６５】
その後、ミストＭを含む気流は、図３１Ｃに示すように、一部はインク捕集領域で滞留するが、一部は、側面板１１８に衝突した後に跳ね返り、図３１Ａ〜３１Ｃの矢印ＭＵに示すように、光ディスク５の裏面やトレイ１２０の裏面側に回りこみ、再びドライブ部内を拡散する（図３１Ｃの丸で囲んだ部分を参照）。そのため、このような光ディスク５の裏面やトレイ１２０の裏面側に回りこんだミストＭにより、光学ピックアップ１４０やトレイ１２０などが汚染されてしまう。すなわち、気流路２１０のみを設け、障壁２２０を設けない場合でも、ある程度のミストＭによる光学ピックアップ１４０等の汚染抑制効果はあるものの、インク捕集領域に入り込んだミストＭの一部が再びドライブ部内を拡散してしまう場合がある。
【０１６６】
これに対して、本実施形態の変形例に係る光ディスク装置２００’については、図３２Ａ〜３２Ｃに示すように、印刷ヘッド１５０のインク吐出部１５０ａから吐出されたインク滴のミストＭは、光ディスク５の回転によって生じる光ディスクの外周部の定常的な気流に乗って、まず、矢印ＭＶに示すように、ドライブ部の側壁１０３の方へ飛散する。ここで、本変形例に係る光ディスク装置２００’では、側壁１０３の方へ飛散した気流が衝突する近辺の側壁１０３の上部に気流路２１０が設けられていることから、この気流路２１０を通過した後に、側壁１０３と筐体１１０の側面板１１８との間のインク捕集領域に入り込む。
【０１６７】
その後、ミストＭを含む気流は、図３２Ｃに示すように、一部はインク捕集領域で滞留し、一部は側面板１１８に衝突した後に跳ね返ろうとするが、本変形例においては、気流路２１０の入口部分に障壁２２０が設けられていることから、ミストＭは、この障壁２２０によりドライブ部内への飛散が遮られる。そのため、本変形例によれば、ミストＭが、光ディスク５の裏面やトレイ１２０の裏面側に回りこみ、再びドライブ部内を拡散することを抑制することができる。従って、本変形例に依れば、ドライブ部内の光学ピックアップ１４０やトレイ１２０などの構成部品の汚染を抑制する効果を高めることができる。
【０１６８】
なお、本シミュレーションによれば、ミスト捕集領域で捕集されたミストＭのうち、ごく一部は、図３２Ａ及び図３２Ｂの矢印ＭＷに示すように、光ディスク５の外周部の定常的な気流に乗って飛散する場合があるが、このようなミストＭの量は極めて少なく、光ディスク５の裏面やトレイ１２０の裏面に回りこむこともほとんどないため、本変形例は、ドライブ部内の光学ピックアップ１４０やトレイ１２０などの構成部品の汚染を抑制する効果が極めて高いものと考えられる。
【０１６９】
また、本発明者らは、上記変形例に係る光ディスク装置の場合に、光ディスクの回転数を９００ｒｐｍにした場合と、１８００ｒｐｍにした場合についてもシミュレーションを行っている。
【０１７０】
このシミュレーションの結果、光ディスクの回転数が９００ｒｐｍと、回転数が少ない場合には、光ディスクの回転により生じる気流の速度が遅く、回転数が１２００ｒｐｍの場合よりも、光ディスクの外周部に沿って気流が流れやすくなる。そのため、光ディスク装置の前面側（印刷ヘッドから遠い側）により多くのミストが飛散する。一方、光ディスクの回転数が１８００ｒｐｍと、回転数が多い場合には、光ディスクの回転により生じる気流の速度が速く、回転数が１２００ｒｐｍの場合よりも、さらに、ドライブ部の側壁側へ向かって気流が流れやすくなる。そのため、光ディスク装置の印刷ヘッドに近い側の側壁に向かってより多くのミストが飛散する。
【０１７１】
このように、光ディスクの回転数の違いによって、光ディスクの回転により生じる気流の方向が異なるため、ドライブ部の側壁に衝突するミストの位置が異なってくる。従って、光ディスクの回転数により、気流路を設ける位置を調整することが好ましい。具体的には、光ディスクの回転数が少ないほど、光ディスク装置の前面側に向かう流れができやすいので、光ディスクの回転数が少ないほど、気流路は印刷ヘッドから遠い位置に設けることにより、より効果的にドライブ内部の構成部品の汚染を抑制することができる。
【０１７２】
以上、添付図面を参照しながら本発明の好適な実施形態について説明したが、本発明はかかる例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【０１７３】
例えば、上述した実施形態では、印刷ヘッド１５０として、インクジェット方式のものを例に挙げて説明したが、本発明に係る印刷ヘッドとして、他の方式のものを使用してもよい。
【０１７４】
また、例えば、キャップやインク溜めなどの部材は、上述した実施形態に係るキャップ１９２やインク溜め１９４などとは別の形状であってもよい。
【図面の簡単な説明】
【０１７５】
【図１】従来のレーベル印刷機能を有する光ディスク装置（トレイ方式）の外観構成を示す斜視図である。
【図２】従来のレーベル印刷機能を有する光ディスク装置（スロットイン方式）の外観構成を示す斜視図である。
【図３】光ディスクのラジアル方向及びタンジェンシャル方向を示す説明図である。
【図４】従来の光ディスク装置の内部構成を示す斜視図である。
【図５】従来の光ディスク装置の内部構成を示す平面図である。
【図６Ａ】従来の印刷ヘッドの構成の一例を示す斜視図である。
【図６Ｂ】従来の印刷ヘッドの構成の他の例を示す斜視図である。
【図７】従来のレーベル印刷機能を有する光ディスク装置を用いた場合の印刷例を示す説明図である。
【図８】本発明の第１の実施形態に係る光ディスク装置の外観構成を示す斜視図である。
【図９】同実施形態に係る光ディスク装置の内部構成を示す斜視図である。
【図１０】同実施形態に係る光ディスク装置の内部構成を示す平面図である。
【図１１】同実施形態に係る印刷ヘッドからインク滴が吐出した状態を示す説明図である。
【図１２】同実施形態に係る光ディスク装置内部におけるインク滴のミストの流れを示す説明図である。
【図１３】同実施形態に係るレーベル印刷部の構成を示す斜視図である。
【図１４】同実施形態に係る基板を下面側から見た平面図である。
【図１５Ａ】同実施形態における印刷ヘッドによる光ディスクの外周印刷時におけるミストの流れを示す説明図である。
【図１５Ｂ】同実施形態における印刷ヘッドによる光ディスクの外周印刷時におけるミストの流れを示す説明図である。
【図１６】同実施形態に係るドライブ部及びレーベル印刷部の構成を示す斜視図である。
【図１７】同実施形態に係るミスト吸収体の例を示す説明図である。
【図１８】同実施形態に係るミスト吸収体をドライブ部の側壁の外側に配置した例を示す斜視図である。
【図１９】同実施形態における気流誘導部とミスト吸収体の他の例を示す説明図である。
【図２０】同実施形態における気流誘導部とミスト吸収体のさらに他の例を示す説明図である。
【図２１】同実施形態における気流誘導部とミスト吸収体のさらに他の例を示す説明図である。
【図２２】同実施形態における気流誘導部とミスト吸収体のさらに他の例を示す説明図である。
【図２３】従来の光ディスク装置のドライブ部内におけるミストの流れを示す前面側から見た説明図である。
【図２４】本発明の第２の実施形態に係る光ディスク装置のドライブ部内におけるミストの流れを示す前面側から見た説明図である。
【図２５】従来の光ディスク装置のドライブ部内におけるミストの流れを示す上面側から見た説明図である。
【図２６】本発明の第２の実施形態に係る光ディスク装置のドライブ部内におけるミストの流れを示す上面側から見た説明図である。
【図２７】同実施形態に係る光ディスク装置のドライブ部内におけるミストの流れを示す上面側から見た説明図である。
【図２８】同実施形態の変形例に係る光ディスク装置のドライブ部内におけるミストの流れを示す上面側から見た説明図である。
【図２９】同実施形態に係る気流路及び障壁の構成例を示す斜視図である。
【図３０Ａ】従来の光ディスク装置についてミストの飛散状況をシミュレーションした結果を示す説明図（斜視図）である。
【図３０Ｂ】従来の光ディスク装置についてミストの飛散状況をシミュレーションした結果を示す説明図（平面図）である。
【図３０Ｃ】従来の光ディスク装置についてミストの飛散状況をシミュレーションした結果を示す説明図（正面図）である。
【図３１Ａ】本発明の第２の実施形態に係る光ディスク装置についてミストの飛散状況をシミュレーションした結果を示す説明図（斜視図）である。
【図３１Ｂ】本発明の第２の実施形態に係る光ディスク装置についてミストの飛散状況をシミュレーションした結果を示す説明図（平面図）である。
【図３１Ｃ】本発明の第２の実施形態に係る光ディスク装置についてミストの飛散状況をシミュレーションした結果を示す説明図（正面図）である。
【図３２Ａ】本発明の第２の実施形態の変形例に係る光ディスク装置についてミストの飛散状況をシミュレーションした結果を示す説明図（斜視図）である。
【図３２Ｂ】本発明の第２の実施形態の変形例に係る光ディスク装置についてミストの飛散状況をシミュレーションした結果を示す説明図（平面図）である。
【図３２Ｃ】本発明の第２の実施形態の変形例に係る光ディスク装置についてミストの飛散状況をシミュレーションした結果を示す説明図（正面図）である。
【符号の説明】
【０１７６】
５    光ディスク
１００，２００    光ディスク装置
１０１    基板
１０２Ａ    ダクト
１０２Ｂ    開口部
１０２Ｃ    開口部
１０３    側壁
１０５，２０５    ミスト吸収体
１１０    筐体
１１４    前面板
１１６    後面板
１１８    側面板
１２０    トレイ
１２０ｂ    開口部
１３０    チャッキングプレート
１３６    スピンドルモータ
１４０    光学ピックアップ
１５０    印刷ヘッド
１５０ａ    インク吐出部
１６０    ヘッド駆動モータ
１６２    ピニオン
１６４    ラックネジ
１６８    リミットセンサ
１８０    ヘッド昇降用モータ
１８２    支持部材
１８４    ベアリング
１８６    シャフト
１８７    軸受け
２１０    気流路
２２０    障壁
Ｄ１    ドライブ部
Ｌ１    レーベル印刷部
【図１】
0004596041.tif 000002
【図２】
0004596041.tif 000003
【図３】
0004596041.tif 000004
【図４】
0004596041.tif 000005
【図５】
0004596041.tif 000006
【図６Ａ】
0004596041.tif 000007
【図６Ｂ】
0004596041.tif 000008
【図７】
0004596041.tif 000009
【図８】
0004596041.tif 000010
【図９】
0004596041.tif 000011
【図１０】
0004596041.tif 000012
【図１１】
0004596041.tif 000013
【図１２】
0004596041.tif 000014
【図１３】
0004596041.tif 000015
【図１４】
0004596041.tif 000016
【図１５Ａ】
0004596041.tif 000017
【図１５Ｂ】
0004596041.tif 000018
【図１６】
0004596041.tif 000019
【図１７】
0004596041.tif 000020
【図１８】
0004596041.tif 000021
【図１９】
0004596041.tif 000022
【図２０】
0004596041.tif 000023
【図２１】
0004596041.tif 000024
【図２２】
0004596041.tif 000025
【図２３】
0004596041.tif 000026
【図２４】
0004596041.tif 000027
【図２５】
0004596041.tif 000028
【図２６】
0004596041.tif 000029
【図２７】
0004596041.tif 000030
【図２８】
0004596041.tif 000031
【図２９】
0004596041.tif 000032
【図３０Ａ】
0004596041.tif 000033
【図３０Ｂ】
0004596041.tif 000034
【図３０Ｃ】
0004596041.tif 000035
【図３１Ａ】
0004596041.tif 000036
【図３１Ｂ】
0004596041.tif 000037
【図３１Ｃ】
0004596041.tif 000038
【図３２Ａ】
0004596041.tif 000039
【図３２Ｂ】
0004596041.tif 000040
【図３２Ｃ】
0004596041.tif 000041